(57)【特許請求の範囲】
【請求項１】
監視建物に備える監視カメラと接続して備えられ、異常通報機能の設定又は解除を要求する暗号、及び監視建物内若しくはガレージ内を監視カメラで撮影した映像を送信することを要求する暗号について、操作部の操作により登録できるように構成されていて、
異常が発生したとき通報を行なう異常通報機能の設定又は解除が、電話機の操作部の操作により、及び外部の電話機若しくはパーソナルコンピュータ等の情報端末による暗号送信により、及び監視建物の出入口付近より発射する暗号電波の受信により行なえるように構成され、
異常通報機能を解除した状態では異常通報を行なわず、異常通報機能を設定しかつ留守番モードを解除した状態において異常が発生したときにはすぐに、又、異常通報機能を設定しかつ留守番モードを設定した状態において異常が発生したときには、留守番モードで応答中であっても途中で通話を断ってすぐに、予め登録された監視機能付き携帯電話機の電話番号をオートダイヤルして回線が接続したら、異常を知らせる通報又は映像の送信許可を求める信号を送信するように構成され、次いで外部の電話機からの映像送信を要求する信号を受信すると、監視カメラが撮影した異常が映っている映像を送信するように構成され、
又、前記の情報端末から送信される暗号を入力して行なう、異常通報機能の設定又は解除、及び情報端末への映像送信は、
留守番モードを解除した状態においては、ベル音の鳴る回数が留守番モードを設定した状態のときよりも所定回数多く鳴るように構成されていて、ベル音が鳴るのが停止してからフックスイッチに対して並列接続して設けられた切り換えスイッチをオンにして電話回線を接続し、この時点以降の一定時間内に暗号入力して行なうように構成され、又、留守番モードを設定した状態においては、ベル音を数回鳴らして停止させて切り換えスイッチをオンにして電話回線を接続し、この時点以降の一定時間内に暗号入力して行なうように構成され、
映像の変更は、映像の変更を要求する信号の入力に基づいて行なうように構成されている、ことを特徴とするセキュリティ電話機。
【請求項２】
前記の監視機能付き携帯電話機へ映像送信する際は、複数台の監視カメラが撮影した映像を画像処理して映像に変化が生じて最初に発生した異常を検知しその監視カメラの識別信号を含む異常検知信号を制御回路に出力し、異常検知信号に基づいて制御回路が出力する指示信号により全ての監視カメラの映像信号をそれぞれ圧縮して映像メモリに記憶し該映像メモリから圧縮した映像信号をリードしてモデムを介して通話回路へ出力し、異常時通報先のディスプレイ付き電話機へ送信し、その際、最初に発生した異常が映っている監視カメラの映像を送信し、その後は、映像の変更を要求する信号の入力に基づいて、映像の変更を行なうように構成され、
又、前記の情報端末へ映像送信する際は、
前記の情報端末により指定される監視カメラの映像信号を圧縮して映像メモリに記憶し該映像メモリから圧縮した映像信号をリードしてモデムから通話回路へ出力して前記の情報端末へ送信し、映像の変更は、前記の情報端末から出力される映像の変更を要求するＰＢ信号の入力に基づいて行なうように構成されている、ことを特徴とする〔請求項１〕に記載のセキュリティ電話機。
【請求項３】
任意の監視カメラについて異常通報機能の対象外として電話機の操作部より予め指定できるように構成され、
該指定した監視カメラが撮影した映像について、画像処理による異常検知対象から外し、かつ、外部への映像送信は行なうように構成されている、ことを特徴とする〔請求項１〕又は〔請求項２〕に記載のセキュリティ電話機。
【請求項４】
前記の電波発射機による異常通報機能の設定又は解除は、
異常通報機能を解除した状態で建物関係者が外出しようとすると、出入口付近に設けるタグ検出器が建物関係者が所持するタグを検知した信号を入力して異常通報機能を設定するように促す警告信号を出力するように構成され、建物関係者が所持する電波発射機より発射する異常通報機能を設定する微弱電波を受信すると、異常通報機能を設定しかつ設定完了を確認する信号を出力するように構成され、
又、異常通報機能を設定した状態かつ施錠状態で、出入口の扉の錠前装置を解錠する信号を入力するか、又は出入口付近に設けるタグ検出器が建物関係者が所持するタグを検出した信号を入力すると、異常通報機能を解除するように促す警告信号を出力するように構成され、建物関係者が所持する電波発射機より発射する異常通報機能を解除する微弱電波を受信すると、異常通報機能を解除しかつ解除完了を確認する信号を出力するように構成されている、ことを特徴とする〔請求項１〕乃至〔請求項３〕のいずれか一項に記載のセキュリティ電話機。
【請求項５】
電話機本体内に電波発射機暗号入力機を備えていて、電波発射機をデータ入力できるように接続して暗号の書込み・変更ができるように構成されている、ことを特徴とする〔請求項１〕乃至〔請求項４〕のいずれか一項に記載のセキュリティ電話機。
【請求項６】
無線電話回線に接続する送受信アンテナと、有線電話回線に接続する接続モジュールを、有線／無線切り換えスイッチを介して回線インターフェースに接続され、有線／無線切り換えスイッチの通常時の電気的接続状態が、有線電話回線による通話が行なわれるように構成されていて、
接続モジュールと有線／無線切り換えスイッチとの間で電話電流が流れなくなったことを検知すると、有線／無線切り換えスイッチを切り換えて無線電話回線による通話が行なわれるように構成され、
又、通常において電力線から給電され、遮電になったときには蓄電池による給電が行なわれるように構成されている、ことを特徴とする〔請求項１〕乃至〔請求項５〕のいずれか一項に記載のセキュリティ電話機。
【請求項７】
暗号を入力してディスプレイに「電話番号／暗号の設定／変更画面」を呼び出し、異常通報機能の設定又は解除を要求する暗号、及び監視建物内を監視カメラで撮影し映像を送信することを要求する暗号、監視建物の所在する管轄警察署若しくは管轄消防署の異常通報受付電話機の電話番号について、それぞれ短縮ボタン操作と関連付けて登録することができるように構成され、
別の暗号を入力すると、ディスプレイの片隅に短縮ボタン操作の一覧を記載した「短縮ボタン機能一覧表示画面」を呼び出せる構成であり、かつ、ディスプレイの片隅に短縮ボタン機能一覧表示画面を表示したまま映像が表示できるように構成されていることを特徴とする監視機能付き携帯電話機。
【請求項８】
「短縮ボタン機能一覧表示画面」の中に、異なる監視カメラの映像に変更する短縮ボタン機能、同一の監視カメラの異なる映像に変更する短縮ボタン機能が表示され、短縮ボタン機能を実行してセキュリティ電話機から送信されディスプレイに写る映像を変更できるように構成されていることを特徴とする〔請求項７〕に記載の監視機能付き携帯電話機。
【請求項９】
短縮ボタン操作により予め登録された管轄警察署又は管轄消防署又は公的な保安センタ−の異常通報受付電話機又はパーソナルコンピュータ又はファクシミリ等の情報端末にオートダイヤルして回線接続できるように構成されていて、回線接続してからさらに、短縮キー操作により、該監視機能付き携帯電話機の所有者の氏名等の予め登録された個人データと、セキュリティ電話機から受信した異常が映っている映像を、管轄警察署若しくは管轄消防署の前記情報端末へ送信できるように構成されている、ことを特徴とする〔請求項７〕又は〔請求項８〕のいずれか一項に記載の監視機能付き携帯電話機。
【請求項１０】
監視建物の内部に、オートダイヤルして異常通報し映像送信する異常通報機能、及び電話機の操作部の操作により又はオート着信して送信されてくる暗号の解読により若しくは電波発射機が発射する暗号電波の解読により前記異常通報機能を設定または解除する機能、及びオート着信して送信されてくる暗号を解読し映像送信する機能を有するセキュリティ電話機を備え、監視建物の内部又は外部を監視カメラで撮影し、その映像信号をセキュリティ電話機に入力するとともに、セキュリティ電話機に監視機能付き携帯電話機の電話番号を予め登録しておき、又、監視機能付き携帯電話機について電話局からキャッチホンサービス及び三者電話サービスを受けておき、さらに、監視機能付き携帯電話機に管轄警察署又は管轄消防署又は管轄消防署又は公的な保安センタ−の異常通報受付電話機の電話番号を予め登録しておき、
セキュリティ電話機の異常通報機能を設定した状態で監視建物の内部又は外部に異常が発生したら、セキュリティ電話機が監視機能付き携帯電話機にオートダイヤルし回線が通じたら異常が写っている映像を送信し、監視機能付き携帯電話機の所持者がディスプレイに写った映像から異常を確認できたら、監視機能付き携帯電話機で前記の異常通報受付電話機に映像を転送し、
又、平常時には、監視機能付き携帯電話機が送信する暗号をセキュリティ電話機が解読して、セキュリティ電話機が異常通報機能の設定又は解除を行い、及び、監視機能付き携帯電話機が送信する暗号をセキュリティ電話機が解読して、セキュリティ電話機が監視機能付き携帯電話機へ映像を送信する、ことを特徴とする異常監視方法。
【請求項１１】
〔請求項１〕乃至〔請求項６〕のいずれか一項に記載の発明のセキュリティ電話機と、異常通報機能の設定状態で建物内の異常を撮影してセキュリティ電話機へ映像信号を出力する監視カメラと、セキュリティ電話機に予め登録されていて異常が発生するとセキュリティ電話機から映像を受信して異常を確認できたらセキュリティ電話機から送信された映像を予め登録してある管轄警察署又は管轄消防署又は管轄消防署又は公的な保安センタ−の異常通報受付電話機に映像を転送できる監視機能付き携帯電話機を含むことを特徴とする異常監視装置。
【請求項１２】
監視建物の出入口付近に備えられるタグ検知装置と、監視建物の出入口付近に備えられタグ検知装置がタグを検知したときにセキュリティ電話機からの信号により異常通報機能の設定を促す警告と設定完了を促す警告を出力する警告手段と、又はセキュリティ電話機に対して監視建物の出入口付近より異常通報機能の設定を促す暗号電波又は異常通報機能の解除を促す暗号電波を発射する電波発射機を含んでいることを特徴とする〔請求項１０〕又は〔請求項１１〕に記載の異常監視装置。
【発明の詳細な説明】
【０００１】
【発明の属する技術分野】
本願発明は、監視建物の内外の異常を検知し、詳しくは不法侵入や火災が発生したときにそれを検知し、又は夜間にガレージ内の車両が窃盗によって移動が生じたことを検知し、監視カメラが撮影した映像を予め登録された電話先に異常を通報しかつ映像を送信し、又、平常時に外部からの映像を要求する暗号を受信して映像を送信するセキュリティ電話機、及び、セキュリティ電話機から映像を受信して異常が写っている映像を確認したら管轄警察署又は管轄消防署の電話機へ映像を転送できる監視機能付き携帯電話機、及び、セキュリティ電話機と監視機能付き携帯電話機を中核とした使い勝手が良い異常監視方法及び異常監視装置に関する。
【０００２】
【従来の技術】
特開平０９−０５４８８７号公報の発明は、異常通報機能の設定状態で、建物内への不法侵入があると不法侵入者をドアセンサ或いは赤外線センサ等が感知し、又、建物内で火災が発生するとこれを煙センサ或いは紫外線センサ等が検知する。そして、電話機能を有するコントローラ（送信機）は、異常通報機能設定状態でセンサ信号を入力すると、予め設定された電話番号を自動的にオートダイヤルし通信が確保できたら、テープ再生手段により、例えば空き巣が入ったという音声、又は火災が発生したという音声で電話回線に流す。オートダイヤル先の建物の管理者は、携帯電話機の音声を聴いて不法侵入や火災の発生を認識できるので、警察署又は消防署へ知らせることができ、警備会社への委託が必要でなくなる。
建物の出入口の外壁面にはテンキーパネルがあって、暗号を入力することにより、異常通報機能の設定及び解除が行なえるので、複数人の出入りに際して利用できる。
【０００３】
特開平１１−２２４３８３号公報の発明は、異常通報機能の設定状態で、建物内への不法侵入があると不法侵入者をドアセンサが感知する。コントローラは、センサ信号を入力すると、監視カメラが撮影した不法侵入者の映像を記録する。そして、コントローラは、建物内の携帯電話機やP.H.S.で予め設定された電話番号を自動的にオートダイヤルして、建物の管理者の携帯電話機又はP.H.S.との通信を確保し、映像を送信する。従って、建物の管理者は、携帯電話機又はP.H.S.のディスプレイに映る映像を見て、不法侵入や火災の発生を確認でき、不法侵入又は火災の発生を確認したときは、警察署又は消防署へ知らせることができ、証拠の映像も残り、警備会社への委託が必要でなくなる。
【０００４】
【発明が解決しようとする課題】
特開平０９−０５４８８７号公報の発明は、不法侵入や火事があった場合、不法侵入と火事を区別できる音声通報できることに特徴がある。しかしながら、不法侵入者や火事の発生を映像で確認できないので、誤報を回避できない。例えばセンサーやコントローラの故障、或いは異常通報機能の解除が行なわれなかったことによる異常検出等に起因する誤報であることも全くないとは言えないので、警察署や消防署への連絡は躊躇せざるを得ず、自分で駆けつけたり、近所のいる親戚、知人に駆け付けて確認してもらうといった不具合がある。又、外出時に異常通報機能の設定を忘れると異常監視装置の役目を果たさない。入室時にテンキーパネルに入力する暗号を忘れてしまうと、異常通報機能の解除ができず、センサーが作動して異常を検出してしまうことになる。
【０００５】
特開平１１−２２４３８３号公報の発明は、外出時に異常通報機能の設定を忘れると異常監視装置の役目を果たさない。建物の出入口で異常通報機能の設定又は解除ができないので、複数人で利用する場合の異常通報機能の設定及び解除が不便。単身利用の入退室は不具合が生じないが、複数人の入退室は、携帯電話機等を持っている人が一番最後に退室し、又一番最初に入室する必要があるといった不具合がある。異常が発生した場合に映像を送信でき、異常の発生以外は映像の送信を行なわない。しかるに、たばこの火や出火の初期等にあっては検知できない。従って、建物関係者が外出した後にたばこの火を消し忘れて家に残してきたことを思い出したときに家に戻らなければ確認できない。
【０００６】
本願発明は、監視建物の内外の異常を検知し、詳しくは不法侵入や火災が発生したときにそれを検知し、又は夜間にガレージ内の車両が窃盗によって移動が生じたことを検知し、監視カメラが撮影した映像を予め登録された電話先に異常を通報しかつ映像を送信し、又、平常時に外部からの映像を要求する暗号を受信して映像を送信するセキュリティ電話機、及び、セキュリティ電話機から映像を受信して異常が写っている映像を確認したら管轄警察署又は管轄消防署の電話機へ映像を転送できる監視機能付き携帯電話機、及び、セキュリティ電話機と監視機能付き携帯電話機を中核とした使い勝手が良い異常監視装置を提供することを目的としている。
又、本願発明は、建物関係者が外出先で建物内に不法侵入や火災が発生していないか確認したいとき、或いは夫婦が共働き家庭で小学生の子供が学校から帰り一人で居るとき、或いは寝たきりの要介護老人の監視が必要なときに子供や要介護老人が過ごしている状況を外出先で映像で見たいとき、或いはペットだけにして管理する必要があり他の場所から映像で見たいときなどに、遠隔地で監視機能付き携帯電話機を用いて電話をかけてきて映像の送信要求があると、監視カメラに建物内を撮影させて映像を受取って携帯電話機に映像を送信できることを目的としている。
又、本願発明は、建物関係者が異常通報機能の設定を行わないで外出しようとすると異常通報機能の設定を促し、出入口で建物関係者が電波発射機により発射する異常通報機能の設定する電波を受けて異常通報機能の設定を行うことができ、又、建物関係者が異常通報機能を設定した状態で監視建物内に入ろうとすると異常通報機能の解除を促すことができ、かつ、建物関係者が電波発射機により発射する異常通報機能の設定する電波を受けて異常通報機能の解除を行うことができ、又、外部からの電話で異常通報機能の設定又は解除を要求する信号を受けて異常通報機能の設定又は解除を行うことができ、もって、複数人で利用する場合の異常通報機能の設定及び解除の利便が図られることを目的としている。
又、本願発明は、建物関係者が外出先でディスプレイの映像を確認した後に警察や消防等に通報でき誤報を回避できて警備会社への委託が必要でなくなる、セキュリティ電話機及び監視機能付き携帯電話機及び異常監視装置を提供することを目的としている。
【０００７】
【課題を解決するための手段】
本願第一の発明は、監視建物に備える監視カメラと接続して備えられ、異常通報機能の設定又は解除を要求する暗号、及び監視建物内若しくはガレージ内を監視カメラで撮影した映像を送信することを要求する暗号について、操作部の操作により登録できるように構成されていて、
異常が発生したとき通報を行なう異常通報機能の設定又は解除が、電話機の操作部の操作により、及び外部の電話機若しくはパーソナルコンピュータ等の情報端末による暗号送信により、及び監視建物の出入口付近より発射する暗号電波の受信により行なえるように構成され、
異常通報機能を解除した状態では異常通報を行なわず、異常通報機能を設定しかつ留守番モードを解除した状態において異常が発生したときにはすぐに、又、異常通報機能を設定しかつ留守番モードを設定した状態において異常が発生したときには、留守番モードで応答中であっても途中で通話を断ってすぐに、予め登録された監視機能付き携帯電話機の電話番号をオートダイヤルして回線が接続したら、異常を知らせる通報又は映像の送信許可を求める信号を送信するように構成され、次いで外部の電話機からの映像送信を要求する信号を受信すると、監視カメラが撮影した異常が映っている映像を送信するように構成され、
又、前記の情報端末から送信される暗号を入力して行なう、異常通報機能の設定又は解除、及び情報端末への映像送信は、
留守番モードを解除した状態においては、ベル音の鳴る回数が留守番モードを設定した状態のときよりも所定回数多く鳴るように構成されていて、ベル音が鳴るのが停止してからフックスイッチに対して並列接続して設けられた切り換えスイッチをオンにして電話回線を接続し、この時点以降の一定時間内に暗号入力して行なうように構成され、又、留守番モードを設定した状態においては、ベル音を数回鳴らして停止させて切り換えスイッチをオンにして電話回線を接続し、この時点以降の一定時間内に暗号入力して行なうように構成され、
映像の変更は、映像の変更を要求する信号の入力に基づいて行なうように構成されている、ことを特徴とするセキュリティ電話機を提供することにある。
【０００８】
本願第二の発明は、前記の監視機能付き携帯電話機へ映像送信する際は、複数台の監視カメラが撮影した映像を画像処理して映像に変化が生じて最初に発生した異常を検知しその監視カメラの識別信号を含む異常検知信号を制御回路に出力し、異常検知信号に基づいて制御回路が出力する指示信号により全ての監視カメラの映像信号をそれぞれ圧縮して映像メモリに記憶し該映像メモリから圧縮した映像信号をリードしてモデムを介して通話回路へ出力し、異常時通報先の監視機能付き携帯電話機へ送信し、その際、最初に発生した異常が映っている監視カメラの映像を送信し、その後は、映像の変更を要求する信号の入力に基づいて、映像の変更を行なうように構成され、
又、前記の情報端末へ映像送信する際は、
前記の情報端末により指定される監視カメラの映像信号を圧縮して映像メモリに記憶し該映像メモリから圧縮した映像信号をリードしてモデムから通話回路へ出力して前記の情報端末へ送信し、映像の変更は、前記の情報端末から出力される映像の変更を要求するＰＢ信号の入力に基づいて行なうように構成されている、ことを特徴とするセキュリティ電話機を提供することにある。
【０００９】
本願第三の発明は、任意の監視カメラについて異常通報機能の対象外として電話機の操作部より予め指定できるように構成され、
該指定した監視カメラが撮影した映像について、画像処理による異常検知対象から外し、かつ、外部への映像送信は行なうように構成されている、ことを特徴とするセキュリティ電話機を提供することにある。
【００１０】
本願第四の発明は、前記の電波発射機による異常通報機能の設定又は解除は、異常通報機能を解除した状態で建物関係者が外出しようとすると、出入口付近に設けるタグ検出器が建物関係者が所持するタグを検知した信号を入力して異常通報機能を設定するように促す警告信号を出力するように構成され、建物関係者が所持する電波発射機より発射する異常通報機能を設定する微弱電波を受信すると、異常通報機能を設定しかつ設定完了を確認する信号を出力するように構成され、
又、異常通報機能を設定した状態かつ施錠状態で、出入口の扉の錠前装置を解錠する信号を入力するか、又は出入口付近に設けるタグ検出器が建物関係者が所持するタグを検出した信号を入力すると、異常通報機能を解除するように促す警告信号を出力するように構成され、建物関係者が所持する電波発射機より発射する異常通報機能を解除する微弱電波を受信すると、異常通報機能を解除しかつ解除完了を確認する信号を出力するように構成されている、ことを特徴とするセキュリティ電話機を提供することにある。
【００１１】
本願第五の発明は、電話機本体内に電波発射機暗号入力機を備えていて、電波発射機をデータ入力できるように接続して暗号の書込み・変更ができるように構成されている、ことを特徴とするセキュリティ電話機を提供することにある。
【００１２】
本願第六の発明は、無線電話回線に接続する送受信アンテナと、有線電話回線に接続する接続モジュールを、有線／無線切り換えスイッチを介して回線インターフェースに接続され、有線／無線切り換えスイッチの通常時の電気的接続状態が、有線電話回線による通話が行なわれるように構成されていて、
接続モジュールと有線／無線切り換えスイッチとの間で電話電流が流れなくなったことを検知すると、有線／無線切り換えスイッチを切り換えて無線電話回線による通話が行なわれるように構成され、
又、通常において電力線から給電され、遮電になったときには蓄電池による給電が行なわれるように構成されている、ことを特徴とするセキュリティ電話機を提供することにある。
【００１３】
本願第七の発明は、暗号を入力してディスプレイに「電話番号／暗号の設定／変更画面」を呼び出し、異常通報機能の設定又は解除を要求する暗号、及び監視建物内を監視カメラで撮影し映像を送信することを要求する暗号、監視建物の所在する管轄警察署若しくは管轄消防署の異常通報受付電話機の電話番号について、それぞれ短縮ボタン操作と関連付けて登録することができるように構成され、別の暗号を入力すると、ディスプレイの片隅に短縮ボタン操作の一覧を記載した「短縮ボタン機能一覧表示画面」を呼び出せる構成であり、かつ、ディスプレイの片隅に短縮ボタン機能一覧表示画面を表示したまま映像が表示できるように構成されていることを特徴とする監視機能付き携帯電話機を提供することにある。
【００１４】
本願第八の発明は、「短縮ボタン機能一覧表示画面」の中に、異なる監視カメラの映像に変更する短縮ボタン機能、同一の監視カメラの異なる映像に変更する短縮ボタン機能が表示され、短縮ボタン機能を実行してセキュリティ電話機から送信されディスプレイに写る映像を変更できるように構成されていることを特徴とする監視機能付き携帯電話機を提供することにある。
【００１５】
本願第九の発明は、短縮ボタン操作により予め登録された管轄警察署又は管轄消防署又は公的な保安センタ−の異常通報受付電話機又はパーソナルコンピュータ又はファクシミリ等の情報端末にオートダイヤルして回線接続できるように構成されていて、回線接続してからさらに、短縮キー操作により、該監視機能付き携帯電話機の所有者の氏名等の予め登録された個人データと、セキュリティ電話機から受信した異常が映っている映像を、管轄警察署若しくは管轄消防署の前記情報端末へ送信できるように構成されている、ことを特徴とする監視機能付き携帯電話機を提供することにある。
【００１６】
本願第十の発明は、監視建物の内部に、オートダイヤルして異常通報し映像送信する異常通報機能、及び電話機の操作部の操作により又はオート着信して送信されてくる暗号の解読により若しくは電波発射機が発射する暗号電波の解読により前記異常通報機能を設定または解除する機能、及びオート着信して送信されてくる暗号を解読し映像送信する機能を有するセキュリティ電話機を備え、監視建物の内部又は外部を監視カメラで撮影し、その映像信号をセキュリティ電話機に入力するとともに、セキュリティ電話機に監視機能付き携帯電話機の電話番号を予め登録しておき、又、監視機能付き携帯電話機について電話局からキャッチホンサービス及び三者電話サービスを受けておき、さらに、監視機能付き携帯電話機に管轄警察署又は管轄消防署又は管轄消防署又は公的な保安センタ−の異常通報受付電話機の電話番号を予め登録しておき、
セキュリティ電話機の異常通報機能を設定した状態で監視建物の内部又は外部に異常が発生したら、セキュリティ電話機が監視機能付き携帯電話機にオートダイヤルし回線が通じたら異常が写っている映像を送信し、監視機能付き携帯電話機の所持者がディスプレイに写った映像から異常を確認できたら、監視機能付き携帯電話機で前記の異常通報受付電話機に映像を転送し、
又、平常時には、監視機能付き携帯電話機が送信する暗号をセキュリティ電話機が解読して、セキュリティ電話機が異常通報機能の設定又は解除を行い、及び、監視機能付き携帯電話機が送信する暗号をセキュリティ電話機が解読して、セキュリティ電話機が監視機能付き携帯電話機へ映像を送信する、ことを特徴とする異常監視方法を提供することにある。
【００１７】
本願第十一の発明は、上記のいずれかの発明のセキュリティ電話機と、異常通報機能の設定状態で建物内の異常を撮影してセキュリティ電話機へ映像信号を出力する監視カメラと、セキュリティ電話機に予め登録されていて異常が発生するとセキュリティ電話機から映像を受信して異常を確認できたらセキュリティ電話機から送信された映像を予め登録してある管轄警察署又は管轄消防署又は管轄消防署又は公的な保安センタ−の異常通報受付電話機に映像を転送できる監視機能付き携帯電話機を含むことを特徴とする異常監視装置を提供することにある。
【００１８】
本願第十二の発明は、監視建物の出入口付近に備えられるタグ検知装置と、監視建物の出入口付近に備えられタグ検知装置がタグを検知したときにセキュリティ電話機からの信号により異常通報機能の設定を促す警告と設定完了を促す警告を出力する警告手段と、又はセキュリティ電話機に対して監視建物の出入口付近より異常通報機能の設定を促す暗号電波又は異常通報機能の解除を促す暗号電波を発射する電波発射機を含んでいることを特徴とする異常監視装置を提供することにある。
【００１９】
【発明の実施の形態】
図１は、本願発明のセキュリティ電話機及び監視機能付き携帯電話機を中核に備えた異常監視装置の実施の形態を示す。
図１に示すように、
監視建物Ｈ内の壁面或いは部屋の隅に備えられ、不法侵入又は火災が生じたり、夜間にガレージ内の乗用車等の移動があると、それらのイベントを検知して予め登録された電話番号を自動的にオートダイヤルして異常通報を行ないかつ映像を送信し、又、遠隔地から電話で暗号により映像送信要求があると映像を送信するように構成されたセキュリティ電話機１と、監視建物Ｈ内の壁面又は天井に設けられ不法侵入を検知して不法侵入者を撮影して映像信号をセキュリティ電話機１へ出力する監視カメラ２ａ、２ｂ1 、２ｂ2 と、監視建物Ｈ内の壁面又は天井に設けられゲルマニウムフィルタ２ｃ11を通して炎から発する紫外線の映像を撮影して映像信号をセキュリティ電話機１へ出力する火災検知用の監視カメラ２ｃ1 と、該監視カメラ２ｃ1 に抱き合せて設けられ不法侵入又は火災の発生の状況を撮影する監視カメラ２ｃ2 と、監視建物Ｈの外壁面等に設けられガレージに駐車する車両の移動を撮影して映像信号をセキュリティ電話機１へ出力する監視カメラ２ｄと、監視建物Ｈ内の出入口付近の壁面又は天井に備えられるタグ検知装置３ａと、監視建物Ｈの出入口の戸枠内に設けられ錠前装置が施錠状態から解錠状態になるときを検知するセンサ３ｂと監視建物Ｈ内の出入口に近い壁面に設けられ強盗が押し入ったときに緊急通報するための緊急通報センサ３ｃと、監視建物Ｈ内の出入口付近の壁面又は天井に備えられ異常通報機能の設定を促すブザー等の警告手段４ａと、監視建物Ｈの出入口付近の外壁面に備えられ異常通報機能の解除を促すブザー等の警告手段４ｂと、並びに、セキュリティ電話機１に予め登録してある建物関係者が所持する監視機能付き携帯電話機５と、建物関係者が所持する監視建物の出入口の扉の錠前装置の鍵６と切り離さないように所持する電波発射機７及びタグ８と、並びに、監視機能付き携帯電話機５に予め登録してある管轄警察署の異常通報受付電話機９Ａと、監視機能付き携帯電話機５に予め登録してある管轄消防署の異常通報受付電話機９Ｂとからなる。
【００２０】
図２は、本願発明のセキュリティ電話機１を示す。
通信回線と択一的に接続される、有線電話の接続モジュール５５又は送受信機を含む送受信アンテナ１０と、接続モジュール５５及び送受信アンテナ１０に対して有線／無線選択スイッチ５６を介して接続される回線インターフェース１１と、フックスイッチ１２と、通話回路１３と、ハンドセット１４が直列接続されている。
【００２１】
接続モジュール５５にＩＳＤＮの電話回線を接続して通話を確保し、電話線が屋外で遮断されたときは、接続モジュール５５と有線／無線選択スイッチ５６との間で電話線に流れる電流が流れなくなったことを検知して制御回路（CPU 又はマイクロコンピュータで構成するのが好ましい）１７が有線／無線選択スイッチ５６を切り替えて送受信アンテナ１０を介して通話が確保できるように構成されている。従って、ハンドセット１４を持ち上げるとフックスイッチ１２がオンになって通常は有線により、そして、犯罪の目的で、或いは大地震又は大火事が起こって電話線が切断されたときは、送受信アンテナ１０より電話ができる。フックスイッチ１２をオフにすると終話になる。
【００２２】
さらに、このセキュリティ電話機１は、犯罪や大地震により電力線が切断されて電力遮断が生じたときにも電力の継続的な供給を確保するため、通常はコンセントから電力供給を受けるようにしておき、かつ、停電になったときに内蔵バッテリーから電力供給を受けるように構成されている。（図示しない）
さらに又、制御回路１７に関しプログラムの暴走や故障が生じたとき、これをウオッチドッグタイマーで検出して切り換えスイッチ６１が切り換わり操作部２９の「１」、「２」・・・「９」、「０」の１０個のいずれかのボタンを押して電話をかけると、その信号が切り換えスイッチ６１からＰＢ信号発生回路２６に直接流れ通話回路１３とフックスイッチ１２と回線インターフェース１１とを介して通話回線が接続され、最低限度の通話が確保されるように構成されている。
【００２３】
制御回路１７に対して、操作部２９と表示部３０とＲＡＭ３１とＲＯＭ３２が接続され、ＲＯＭ３２に格納されたプログラムに従って制御回路１７が情報の処理を行う。制御回路１７は、選択スイッチ４８（設ける位置は電話機筐体の部分か、又は操作部とする）をオンにすると回線インターフェース１１が着信時のコール信号がＰＢ信号（ＤＴＭＦ音）である場合に適応し、又、選択スイッチ４８をオフにすると回線インターフェース１１が着信時のコール信号がＤＰ信号（ダイヤルパルス信号）に適応するように、回線インターフェース１１に対して必要な切り替え信号を出力する。
【００２４】
操作部２９の「１」〜「９」，「０」，「＃」，「＊」の何れかのボタンを押すと、制御回路１７は、各ボタンに固有の信号をＰＢ信号発生回路２６に出力する。ＰＢ信号発生回路２６は、制御回路１７から出力する信号を入力して各ボタンに固有のＰＢ信号（ＤＴＭＦ音）を通話回路１３へ出力する。
ＰＢ信号の発信は、オートダイヤルする信号として使用され、又、本願発明のセキュリティ電話機１では表示部３０に映る映像の切り換えを行うために使用される。
【００２５】
操作部２９のマイクボタン２９ｇを押すと、制御回路１７からリレー１６に信号が送られ、リレー１６の働きによりフックスイッチ１２がオンからオフになるとともに、切り替えスイッチ１５がオフからオンになり、回線インターフェース１１が切り替えスイッチ１５を介して通話回路１３に接続され、このとき通話回路１３に対してハンドセット１４がオフになり、マイクロホン２５がオンになり、マイクロホン２５による通話ができる。再びマイクボタン２９ｇを押すと、切り替えスイッチ１５をオフになり、かつ、フックスイッチ１２がオンになってハンドセット１４により通話ができる。ハンドセット１４を置くと終話になる。又、ハンドセット１４を置かなくても、切り替えスイッチ１５がオンのときにフックスイッチ１２をオフにすると、これを制御回路１７が検知して切り替えスイッチ１５をオフにして終話になる。
なお、マイクロホン２５と図示していないイヤホンとによってもハンドセット１４に替わり通話できるようになっていても良い。
【００２６】
本願発明のセキュリティ電話機１は、テレビ電話としての機能を持たせるために、カメラ４９と画像圧縮部５０とデュアルポートメモリ５８とモデム５９を通話回路１３に対して直列接続状態に備え、操作部２９の映像送信ボタン２９ｊを押すと、制御回路１７の制御信号により、カメラ４９が撮影して出力する映像信号を画像圧縮部５０が画像圧縮してデュアルポートメモリ５８に記憶し、デュアルポートメモリ５８からモデム５９で音声信号に変調されて通話回路１３を介して送信されると同時に、通話先からの映像を表示部３０に表示できて通話ができるテレビ電話として機能する。
本願発明のセキュリティ電話機１は、表示部３０が常時明るくなっていると、電力消費が大きく不経済であり、かつ、もしも不法侵入者が侵入した場合には、セキュリティ電話機１の存在及び稼働を容易に知られてしまうので、通常において、映像送信ボタン２９ｊをオンにした状態で常時画面を暗くしておき、フックスイッチ１２がオンになるときに、テレビ電話として機能する構成にする。表示部３０を折り畳んだ状態でも、異常通報機能が確保される。
又、操作部２９のファインダーボタン２９ｋを押すと、制御回路１７の制御信号により、カメラ４９が撮影して出力する映像信号を画像圧縮部５０で圧縮してデュアルポートメモリ５８に記憶し、デュアルポートメモリ５８から映像信号をリードして表示部３０にカメラ４９が撮影した映像を表示する。このとき、操作部２９で所要のボタン操作を行ってカット写真操作を行なうと、表示部３０に表示された映像がフラッシュメモリ５４に記憶される。後は、電話帳機能や名刺管理機能のソフトに利用される。
【００２７】
外部の発信者の電話が、映像が映るディスプレイ付き電話機（テレビ電話機）であることを通知するために特定のＰＢ信号を送信してくるディスプレイ電話機であれば、ＰＢ信号をＰＢ信号検出器２７が検知し解読器２８が解読して外部の発信者の電話機がディスプレイ付き電話機（テレビ電話機）であることを判別して、制御回路１７から着信音発生回路１９に対して特定の信号を出力してスピーカ２０より発信者の電話機が映像が映るディスプレイ電話機であることをセキュリティ電話機１で応対する人にきわめて容易に判別できる特定の音を出力するように構成されている。この機能は、プログラムのフローチャートには表していない。解読器２８は制御回路１７の一部に構成しても良い。
【００２８】
外部から電話がかかってくると、回線インターフェース１１の所まできているコール信号を着信／終話検出回路１８が検出し、該着信／終話検出回路１８は制御回路１７に対して信号を出力する。
【００２９】
制御回路１７は、着信／終話検出回路１８から信号を入力して着信音発生回路１９に信号を出力し、留守番モードになっていないかチェックし、留守番モード設定のときはベル音を四回鳴らしてからリレー１６に対して切り替えスイッチ１５をオンにさせて回線を接続し、又、留守番モード解除のときはベル音を十五回鳴らしてからリレー１６に対して切り替えスイッチ１５をオンにさせて回線を接続するように構成されている。
もしも、ベル音が上記の四回目又は十五回目を鳴っているうちにハンドセット１４を取り上げると、外部へ電話をかけるのを同じ通常の回線が確保され、発信者電話番号受信部２１で受信する発信者電話番号を入力してＲＡＭ３１に記憶しかつ暫時表示部３０に表示し、ハンドセット１４を置くか、又は発信先が電話を切ると終話になる。
【００３０】
制御回路１７は、留守番モード設定のときは、発信者電話番号受信部２１で受信する発信者電話番号を入力してＲＡＭ３１に記憶しかつ暫時表示部３０に表示し、この間に異常が発生していないか画像処理部４１から入力する信号をウオッチングし、次いで、応答メッセージ出力部２２に対してメッセージ選択信号と出力命令信号を出力して該応答メッセージ出力部２２の第一記録部に録音されている「只今、留守にしています。ピーッと鳴ったらメッセージをお伝えください。」というメッセージを通話回路１３へ出力させ、次いで、高周波出力部２３に対して信号を出力して該高周波出力部２３より高周波音を通話回路１３へ出力させ、続いて、メッセージ記録／再生部２４に対して記憶命令信号を出力して通話回路１３に到達する発信先の音声を該メッセージ記録／再生部２４に記憶させ、終話になると、着信／終話検出回路１８からの信号を入力して切り替えスイッチ１５をオフにしたり、メッセージ記録／再生部２４の作動を停止させる。
【００３１】
制御回路１７は、留守番モード設定のときは、上記のメッセージ記録時間経過後の二十秒間に、又、留守番モード解除のときは、上記のベル音が十五回鳴った後の二十秒間にＰＢ信号が送信されて来るときは、ＰＢ信号検出器２７が検出し、解読機２８が解読してＰＢ信号の種類に応じて出力する所定の信号の入力に対して待機し、信号がないときは終話になる。
制御回路１７に解読機２８から信号の入力があると、制御回路１７は、その信号が異常通報機能を設定する暗号と、異常通報機能を解除する暗号と、留守番モードを設定する暗号と、留守番モードを解除する暗号と、監視建物Ｈ内の映像を要求する暗号の、それぞれに対応するサブルーチンプログラムにジャンプして、対応する情報処理を行なう。
【００３２】
応答メッセージ出力部２２は、例えば、メッセージ選択部２２ａと、半導体メモリからなる複数の記録部を有する応答メッセージ記録部２２ｂと、音声信号入出力変換部２２ｃを有する。
操作部２９の応答メッセージ入力ボタン２９ｉを押すと、制御回路１７がそのして信号を検知して通話回路１３とマイクロホン２５をオンにする。そこで、「＃」＋＊」＋「１」とボタンを押すと、このＰＢ信号を解読機２８が解読して必要な信号を制御回路１７に出力する。すると、メッセージ選択部２２ａは、制御回路１７から音声入力命令の信号と記録部選択信号を入力して、応答メッセージ記録部２２ｂの第一記録部を選択し、マイクロホン２５から入力される応答メッセージの音声信号を音声信号入出力変換部２２ｃを介して第一記録部に記録する。同様に、「＃」＋＊」＋「２」とボタンを押すときは第二の記録部に録音され、「＃」＋＊」＋「３」とボタンを押すときは第三の記録部に録音され、「＃」＋＊」＋「４」とボタンを押すときは第四の記録部に録音され、「＃」＋＊」＋「５」とボタンを押すときは第五の記録部に録音されるようになっている。
そこで例えば、第一の記録部には「只今、留守にしています。ピーッと鳴ったらメッセージをお伝えください。」、第二の記録部には「設定完了！設定完了！」を、第三の記録部には「解除完了！解除完了！」を、第四の記録部には「異常発生！異常発生！ボタンをどれか一つ押して下さい！異常発生！異常発生！ボタンをどれか一つ押して下さい！」、第五の記録部には「強盗！助けて！強盗！助けて！強盗！助けて！」、第六の記録部には「映像を送信します！映像を送信します！シャープ（「＃」）のボタン！シャープ（「＃」）のボタンを押して下さい」という音声を予め入力しておく。
なお、これらの録音は、例えば、操作部２９の管理画面呼び出しスイッチ２９ｅを押して、表示部３０に図示しない管理画面を表示して第一乃至第五の記録部を指定して行なうようにする。
外部から電話がかかってくるときは、制御回路１７から応答メッセージ出力部２２に対して音声入力命令の信号と記録部選択信号を出力する。メッセージ選択部２２ａは、応答メッセージ記録部２２ｂの記録部を選択してそこに録音された応答メッセージをリードし音声信号入出力変換部２２ｃを介して通話回路１３へ出力するようになっている。
【００３３】
操作部２９の録音再生ボタン２９ｈを押すと、制御回路１７はメッセージ記録／再生部（フラッシュメモリを採用した音声記憶再生装置、或いは超小型テープレコーダ）２４に対して信号を送り、該メッセージ記録／再生部２４に記憶されたメッセージがスピーカ２０から聴こえる。
【００３４】
このセキュリティ電話機１は、操作部２９の「＃」ボタン＋画面呼び出しボタン２９ｅを順に押すと、表示部３０に図３に示す「電話番号／暗号の設定・変更画面」３０ａが表示されるようになっている。この画面３０ａで、操作部２９に設けられるトラックボール等の図示しないポインタ移動手段を用いて入力ポイントを指示するようにして、異常通報機能を設定する暗号、異常通報機能を解除する暗号、留守番モードを設定する暗号、留守番モードを解除する暗号、監視カメラの映像要求の暗号を入力して実行ボタンを押すと、暗号の入力が確定し、解読機２８には全ての暗号及びプログラム中の指示を行なうための番号が照合解読するための登録側の暗号として記憶され、又、解読機３７と暗号書込み装置４５には異常通報機能を設定する暗号と異常通報機能を解除する暗号が照合解読するための登録側の暗号として記憶される。
従って、暗号が他人に知られた場合、或いは時々において、所望の暗号に変更できる。
【００３５】
表示部３０に図３に示す「電話番号／暗号の設定／変更画面」３０ａを呼び出して、操作部２９に設けられるトラックボール等の図示しないポインタ移動手段を用いて映像を再生する実行ボタンをクリックすると、該画面３０ａが消え、替わって、図４に示すように、表示部３０の片隅に「映像再生制御画面」３０ｂが現れる。この画面３０ｂの消去ボックスをポインタで押すと、図３の「電話番号／暗号の設定／変更画面」３０ａが現れ，消去ボックスをポインタで押すと、この画面３０ａも消えるように構成されている。
【００３６】
解読機２８にはＰＢ信号検出器２７から出力する信号を照合解読するために、登録側の暗号として以下の暗号及び符号が記憶される。
暗号に使用できるボタンは「１」、「２」・・・「９」、「０」、「＃」、「＊」の１２個のボタンである。
(1) 図３の「電話番号／暗号の設定・変更画面」の中の五つの暗号（変更可）
異常通報機能を設定する暗号（四桁）・・短縮番号を「＃」＋「１」と押すと四桁の暗号のＰＢ信号が出力する、以下同じ。
異常通報機能を解除する暗号（四桁）・・・短縮番号は「＃」＋「２」
留守番モードを設定する暗号（四桁）・・・短縮番号は「＃」＋「３」
留守番モードを解除する暗号（四桁）・・・短縮番号は「＃」＋「４」
監視カメラの映像要求の暗号（四桁）・・・短縮番号は「＃」＋「５」
(2) 図４及び図６に示す画面の中の指示番号
「＃２１」、「＃２２」、「＃２３」、「＃２４」、「＃２５」、
「＃２６」、「＃３１」、「＃４２」、「＃５３」、「＃９９」・・・短縮番号ではなく予め決まっている指示番号
(4) 異常発信の「「異常発生！異常発生！ボタンをどれか一つ押して下さい！・・」の音声に応答する映像送信要求信号等
「１」、・・・・「９」、「０」、「＃」、「＊」
(5) 応答メッセージ出力部２２の第一記録部乃至第五記録部を選択するための信号
「＃＊１」、「＃＊２」、「＃＊３」、「＃＊４」、「＃＊５」
【００３７】
前記のメッセージ記録／再生部２４が記憶（記録）を行う時間内に、外線からＰＢ信号が送信されてくると、該ＰＢ信号は、通話回路１３を介してＰＢ信号検出器２７に到達し、該ＰＢ信号検出器２７により「１」、〜「９」、「０」、「＃」、「＊」のいずれかのボタンに対応するデジタル信号に変換され、暗号として解読機２８に入力され解読される。
【００３８】
ＰＢ信号検出器２７により「１」、〜「９」、「０」、「＃」、「＊」のいずれかのボタンに対応するデジタル信号に変換され解読機２８に入力する信号は、前記のように、解読機２８に予め登録されているいくつかの暗号と照合され、特定の暗号であることを判別して制御回路１７に対して識別できる所要の信号を出力する。
解読機２８は、暗号解読を行なって制御回路１７が三十二種類の信号に識別できる五ビット信号を出力する。五ビット信号を出力するように構成すると、十六個の暗号が使用でき、監視カメラを最大八台を取り付けて使用できる。
【００３９】
このセキュリティ電話機１は、暗号書込み装置４５に図１の暗号電波を発射する電波発射機７を差し込んでデータをやり取りする端子同士を接続し、表示部３０に図３に示す「電話番号／暗号の設定・変更画面」３０ａを表示して、上述した暗号の入力を確定してから暗号書込みを行なう実行ボタンをを押すと、電波発射機７に異常通報機能を設定する暗号に対応する電波と、異常通報機能を解除する暗号に対応する電波を書き込めるようになっている。
【００４０】
図１の電波発射機７は、青色ボタン７ａを押すとコーダ７ｂが信号を入力して異常通報機能を設定する暗号に対応する微弱電波を作って送受信アンテナ７ｃから発射し、又、赤色ボタン７ｆを押すとコーダ７ｂが信号を入力して異常通報機能を解除する暗号に対応する微弱電波を作って送受信アンテナ７ｃから発射するように構成されている。
この微弱電波は、３０ｍ位の距離を飛ぶ電波法違反にならない最大限度の電波を用いる。
【００４１】
セキュリティ電話機１は、図１の電波発射機７のボタン７ａを押すことにより発射する微弱電波を、送受信アンテナ３５を介して受信機３６で受信する。すると、解読機３７が暗号解読を行なって制御回路１７が異常通報機能の設定信号か、又は異常通報機能の解除信号かについて、識別できる四ビット信号を制御回路１７へ出力する。これに対応して、制御回路１７は、二ビット信号を認識して必要な応答信号をコーダ４７に送り、該コーダ４７で作られる応答信号を送信機３８を介して送受信アンテナ３５より発射するように構成されている。
解読器３７は制御回路１７の一部に構成しても良い。
【００４２】
図１に示す電波発射機７は、送受信アンテナ３５より発射する微弱電波を、送受信アンテナ７ｃを介して受信機７ｄで受信し、該受信した微弱電波が、異常通報機能を設定する電波であるときは、青色ボタン７ａに対応位置する青色ランプ７ｅを２〜３秒間点灯し、又、異常通報機能を解消する電波であるときは、赤色ボタン７ｆに対応位置する赤色ランプ７ｇを２〜３秒間点灯するように構成されている。
従って、電波発射機７で異常通報機能の設定又は解除を行う電波を発射すると、実際に異常通報機能の設定又は解除が行われたか、否かは、青色ランプ７ｅ又は赤色ランプ７ｇが点灯したことを確認することで判別できる。
【００４３】
電話機筐体の外面部に、タグ検出信号入力端子３３と、警告信号出力端子３４と、施錠信号入力スイッチ３９と、警告信号出力端子４０が設けられていて、これらが制御回路１７に接続されている。タグ検出信号入力端子３３には図１のタグ検出装置３ａが接続され、警告信号出力端子３４には図１の警告手段４ａが接続され、施錠信号入力スイッチ３９には図１のセンサ３ｂが接続され、警告信号出力端子４０には図１の警告手段４ｂが接続される。
そして、建物関係者がセキュリティ電話機１の異常通報機能設定／解除ボタン２９ａを押して異常通報機能を設定すると、確認ランプ２９ｂが点灯し、異常通報機能を解除すると、確認ランプ２９ｂが消灯し、又、建物関係者がセキュリティ電話機１の留守番モード設定／解除ボタン２９ｃを押して留守番モードを設定すると、確認ランプ２９ｄが点灯し、留守番モードを解除すると、確認ランプ２９ｄが消灯する。
この場合、セキュリティ電話機１でのボタン操作による異常通報機能の設定又は解除及び留守番モード設定／解除は、先に操作部２９の画面呼び出しボタン２９ｅを押して表示部３０に暗号入力して、実行ボタンを押して暗号を確定してからでないと行なえないように構成されている。これは、解読機２８，３７が暗号を照合できないから解読できないことになり、セキュリティ電話機１でのボタン操作による異常通報機能の設定又は解除及び留守番モード設定／解除ができるようにしてしまうと、電話による異常通報機能の設定又は解除及び留守番モード設定／解除ができなくなるからである。
そして、建物関係者がセキュリティ電話機１の異常通報機能設定／解除ボタン２９ａを押して異常通報機能を設定することを怠って外出しようとして出入口付近に来ると、図１のタグ検出装置３ａが建物関係者が所持する図１のタグ８を検知して検知信号を制御回路１７に出力する。これに対応して、制御回路１７は、警告信号出力端子３４を介して図１の警告手段４ａに信号を出力し、もって警告手段４ａが警告音を発して異常通報機能を設定することを促す。
このとき、最後に外出する人でなければ、警告音を無視すれば良い。
又、建物関係者が監視建物Ｈの異常通報機能を設定して外出し、戻ってきて監視建物Ｈ内に入ろうとして解錠したとき、図１のセンサ３ｂが信号を制御回路１７へ出力する。これに対応して、制御回路１７は、警告信号出力端子４０を介して図１の警告手段４ｂへ信号を出力する。これにより、警告手段４ｂが警告音を発して異常通報機能を解除することを促す。従って、異常通報機能を解除することを怠って、出入口扉を開けて、図１の監視カメラ２ａが不法侵入者として検出し、異常通報を行ってしまうことを回避できる。
タグ検知装置３ａのタグ検知範囲を出入口の外まで及ぶようにして、異常通報機能の設定状態で、外部から監視建物Ｈの出入口より入るときに、施錠から解錠にする前に、タグ検知装置３ａでタグ８を検知して警告信号出力端子４０に信号を出力して図１の警告手段４ｂより異常通報機能を解除することを促す警告音を鳴らすように構成されている。
なお、異常通報機能を設定して外出する際の施錠信号は異常通報機能の設定には関係なく、施錠を怠っても警告音を発しない。しかし、異常通報機能を設定して出入口扉を一旦閉じたら、僅少時間経過して開ける場合を除き、出入口扉を開けると、図１の監視カメラ２ａが建物関係者であっても不法侵入者として検出するように構成されている。（フローチャート参照）
鍵６は、電子チップをモールドして作り暗号を書き込み、錠前装置（図示しない）はコード読み取り機を付設して、鍵６を錠前装置に近づけるだけでコードの照合が行われ、開錠時にコードが合致すると自動開錠するキーレスエントリシステムとすることが防犯の面から好ましい。
タグ検知装置３ａは、磁気検出形、パルス検出形、あるいは通信形等のいずれでも良い。タグ８は、タグ検知装置３ａの構成に対応して磁性体であるか、パルス発生部材であるか、あるいは通信回路内蔵形のタグとされる。
なお、警告手段４ａ，４ｂは、ブザーでなくても良い。外部者には気がつきにくく、建物関係者には確認できるところに、発光ダイオードを設けて暫時点灯するようにしても良いし、或いは、電波を飛ばしてタグ８又は電波発射機７に付設するバイブレータを振動させるか又はブザーを鳴らすように構成しても良い。
鍵６と電波発射機７とタグ８を一体に設けても良い。
【００４４】
このセキュリティ電話機１は、画像処理部４１と画像圧縮部４２と映像メモリ４３ａ，４３ｂとモデム４４を備えていて、画像処理部４１のインターフェースに六台の監視カメラ２ａ、２ｂ1 、２ｂ2 、２ｃ1 、２ｃ2 、２ｄを画像送信ケーブル４６で繋いで、監視カメラ２ｃ2 を除いた五台の監視カメラの映像を画像処理部４１で常時画像処理を行なうとともに、監視カメラ２ｃ1 を除いた五台の監視カメラの映像を画像圧縮部４２で映像信号を圧縮して、異常時には異常映像記憶用の映像メモリ４３ａに記憶しかつ制御回路１７の指令信号に応じて圧縮された映像信号をモデム４４で音声信号に変換して通話回路１３へ出力して切り替えスイッチ１５、回線インターフェース１０を介し送受信アンテナ１０から予め登録された電話番号の携帯電話６へ送信し、又、平常時には画像圧縮部４２で圧縮した映像信号を平常映像記憶用の映像メモリ４３ｂに記憶しかつ制御回路１７の指令信号に応じて圧縮された映像信号をモデム４４で音声信号に変換して通話回路１３に出力するように構成されている。
六台の監視カメラ２ａ、２ｂ1 、２ｂ2 、２ｃ1 、２ｃ2 、２ｄは、映像をコード化して映像データとして出力するＣＣＤカメラあるいはＣＭＯＳカメラが使用できる。特に、ＰＢ信号によって、絞りと焦点距離を変化させうる構成が好ましい。セキュリティ電話機１の操作部２９で所要の操作を行って主治医に電話をかけた場合には、主治医が電話機の「１」〜「８」のボタンを押してセキュリティ電話機１に一番近い監視カメラの向きを上下方向及び水平方向に調整できて、さらに絞りと焦点距離を調整できるように構成されていると、電話によるインフォームドコンセントが行える。この場合には、監視カメラに画像コーデックとモデムを別途に内包していて、他方、監視カメラと「２」〜「９」のボタンの関係を解読器２８で解読するのではなく、主治医が「１」〜「８」のボタンを押して送信してきたＰＢ信号を監視カメラ内のモデムに入れて該監視カメラをコントロールするように構成する。このようにすると、通話も確保できる。
なお、モデム４４と５９は共用する回路構成としても良い。
【００４５】
監視カメラ２ｃ1 は、紫外線を透過するゲルマニウムフィルタ２ｃ11を備えていて、炎から発する紫外線を捉えて紫外線の映像を出力する。従って、監視カメラ２ｃ1 は、炎だけ見ることができて、実際の映像が見えない。監視カメラ２ｃ1 の信号は画像処理部４１で画像処理するが画像圧縮をかけず映像メモリにも記憶しない。
そこで、図１に示すように、監視カメラ２ｃ1 に監視カメラ２ｃ2 が抱き合わせて設けられている。監視カメラ２ｃ2 の信号は画像処理しないで画像圧縮部４２で画像圧縮して映像メモリ４３ａ又は４３ｂに記憶する。
なお、どの部屋でも火災を検知するために各部屋について監視カメラ２ｃ1 、２ｃ2 を抱き合わせて設けても良い。
【００４６】
画像圧縮部４２で圧縮した映像信号を二つの映像メモリ４３ａ、４３ｂのいずれに記憶するかは、画像処理部４１の異常検出信号を入力する制御回路１７が映像メモリ４３ａ、４３ｂに必要な制御信号を送ることによって決まる。
【００４７】
画像処理部４１における画像処理は、例えば、監視カメラ２ａ、２ｂ1 、２ｂ2 、２ｃ1 、２ｄから所定の順番でかつ０．２秒毎に一フレーム分の静止画映像をフィルタにかけて白黒映像にしてからシフトメモリに取り込むようになっていて、同一の監視カメラの先に取り込んだ映像と後から取り込んだ映像を、それぞれ画面分割して対応する分割画面の白又は黒のピクセル同士の数を算出し、偏差がしきい値を越えている分割画面が１つ又は複数生じたときは映像に動きがあった、すなわち、不法侵入者が映った、又は炎を検知した、或いはガレージ内の車が動いたと判断して、制御回路１７に対して映像に変化があった監視カメラを特定できる四ビットの信号で異常信号を出力するようになっている。
五台の監視カメラの映像を画像処理するときは、先の映像を画像処理する時点と後の映像を画像処理する時点との時間差は１秒間であり、不法侵入が１秒以内に行なわれることはないから、監視する時間間隔は充分である。そして、上記の画像処理は、不法侵入者が全く動かないでいると、分割画面の白又は黒のピクセル同士の数の偏差がしきい値より小さいので異常として検出されず、その時の映像は映像メモリ４３ｂに記録される。不法侵入者がその後に動くとその時の映像は映像メモリ４３ａに記録される。従って、不法侵入があった場合、映像メモリ４３ａと映像メモリ４３ｂに振り分けられて記録される。
映像メモリ４３ａ，４３ｂは、フラッシュメモリを使用するのが好ましい。映像メモリ４３ｂの記憶容量は、保存が必要ではないので、映像メモリ４３ａに比べて小さくても良く、エンドレスに記憶するのが良い。大容量のメモリ、例えばＤＶＤメモリを採用する場合は映像メモリを一つ用意すれば足りる。
フローチャートは、外部から見ることができる映像の対象として、映像メモリ４３ａに記憶されている映像としている。外部から、映像メモリ４３ｂに記憶されている映像も見られるようにしても良い。
【００４８】
画像圧縮部４２は、監視カメラ２ａ、２ｂ1 、２ｂ2 、２ｃ2 、２ｄから画像処理部４１に入力したカラー映像を上記のように、０．２秒毎に一フレームの静止画分又は一定量の動画分の映像信号を入力して圧縮（静止画のときはＪＰＥＧに圧縮、動画のときはＭＰＥＧに圧縮）する。
ｃｄｍａ２０００方式及びＷ−ＣＤＭＡ方式が実現すると、２メガビット／秒のデータ電送量が可能になるので、動画を圧縮して異常通報することがイベント認識力の面から防犯、防火等において効果的である。
これに関連し、監視カメラは必要十分にクリアな映像が取れる品質のものにしたい。
【００４９】
制御回路１７は、画像処理部４１から映像に変化があった監視カメラを特定した四ビットの信号で異常信号を入力すると、画像処理部４１に信号を出して変化があった映像（白黒フィルタに通す前のカラーの映像）について画像処理部４１から画像圧縮部４２へ出力させ、画像圧縮部４２で画像圧縮した映像信号を異常映像記憶用の映像メモリ４３ａにカメラ別にかつ時系列で記憶させ、外部への最初の映像の送信は、最初に異常が発生しそれを撮影した映像を呼び出して外部へ送信させ、以後は、外部の電話から送信させるＰＢ信号により、決められたカメラの順番でかつ記憶した順番で異常が映っている映像を送信させるか、又は外部から指定される順番で異常が映っている映像を送信させる。
【００５０】
セキュリティ電話機１は、表示部３０の片隅に「映像再生制御画面」３０ｂを表示できるから、この画面３０ｂのボタン機能の説明に従い、操作部２９のボタンを押すことにより映像メモリ４３ａが記憶している映像の一部又は全てを表示部３０に表示できる。
さらに、片隅に「映像再生制御画面」３０ｂが現れた状態で、ダビング用映像入出力端子５７に図示しない外部記憶装置（スティック状のケースを使用したフラッシュメモリが好ましい）を接続し、「映像再生制御画面」３０ｂ内に表示された映像のダビングを行なう実行ボタンを前記図示しないポインタ移動手段を用いて映像再生する実行ボタンを押すことにより、制御回路１７が映像メモリ４３ａ又は４３ｂから映っている映像信号を取り込んで前記図示しない外部記憶装置へ出力するか、又は、制御回路１７が映像メモリ４３ａ又は４３ｂに必要な制御信号を出力し、該映像メモリ４３ａ又は４３ｂから映っている映像信号を前記図示しない外部記憶装置に出力し、もって、ダビングができるように構成されている。
【００５１】
以上説明してきたように、このセキュリティ電話機１は、監視カメラ２ａ、２ｂ1 、２ｂ2 、２ｃ1 、２ｄが捉えた各映像を画像処理部４１で画像処理することにより、監視建物Ｈ内への不法侵入が発生するか、又は監視建物Ｈ内の厨房等で火災が発生するか、又は夜間若しくは不在時にガレージ内の車が動いたことを検知し、監視カメラ２ａ、２ｂ1 、２ｂ2 、２ｃ2 、２ｄが捉えた映像を画像圧縮して映像メモリ４３ａに記憶し、予め登録されている電話番号の携帯電話機６へオートダイヤルして送信する異常通報を行ない、映像メモリ４３ａに記憶してある異常が映っている映像を送信するように構成されている。
又、このセキュリティ電話機１は、異常通報機能が設定状態又は解除状態の何れにあっても、監視建物Ｈ内の監視カメラを設置してある任意の所望の部屋の状況を見たくて、遠隔地で監視機能付き携帯電話機５を用いて映像を要求する暗号を送ってくれば監視カメラ２ａ、２ｂ1 、２ｂ2 、２ｃ2 、２ｄに撮像させ、その映像を取り込んで送信するようになっている。
さらに又、このセキュリティ電話機１は、異常通報機能を一部解除できるようになっている。すなわち、特定の監視カメラの映像については異常を検知する機能を停止させる。具体的には、操作部２６の「＃」ボタン＋画面呼び出しボタン２９ｅを押して、表示部３０に図３の「電話番号／暗号の設定／変更画面」３０ａを呼び出し、もしも、映像の変化から異常を検知しても画像処理部４１から制御回路１７に対して異常信号を送らないようにする監視カメラを選択しておく。例えば、画面３０ａにおいて、図１の三つの監視カメラ２ｂ1 、２ｂ2 、２ｃ1 を選択して四角ボックスに「レ」点を入力して異常通報機能を設定する。該選択したカメラについては制御回路１７が記憶しておき異常が発生していないか四ビットの端子へのビット出力をリードしに行くときに照合して該当するときは応答しないようになっている。従って、該選択したカメラについてはその映像を画像処理して動くものを検出し異常が発生したものと判別しても、画像処理部４１から制御回路１７に対して異常信号を送らないので異常通報を行わないが、外部への映像の送信は制限されない。
上記の場合、監視カメラ２ａ，２ｄについては異常通報機能を解除していないので、監視カメラ２ａ又は２ｂの映像を画像処理していずれかに動くものが検出され異常が生じたものと判別したときは、画像処理部４１から制御回路１７に対して異常信号を出力することになり、上記のように異常通報を行なうことができる。
従って、施錠して、子供が一人で居るときや寝たきりの要介護老人の監視が必要なとき、或いは夜間はペットだけにして管理する必要があって、しかも、ときどきその状況を遠隔地で見たいとき、又はガレージ内の自動車を見たいときには、遠隔地で監視機能付き携帯電話機５を用いて映像を要求する暗号を送ってくれば、セキュリティ電話機１は、監視カメラ２ａ、２ｂ、２ｃ2 、２ｄに撮像させ、その映像を取り込んで送信できて、しかも、出入口からの不法侵入を検知して異常通報する異常通報機能が確保できるように構成されている。
外部から建物内の映像を見たい場合、図３の「電話番号／暗号の設定／変更画面」３０ａで異常通報先を第一番目の電話番号の電話機に限定する指定をしておけば、建物関係者の異常監視携帯電話５にのみ異常通報が行われ、第二番目の電話番号の電話機へ異常通報することがない。
図１８、図１９、図２０、図２１の各フローチャートから分かるように、
電話による、異常通報機能の設定及び解除、並びに留守番モードの設定解除は、暗号入力する限り、監視機能付き携帯電話機５に限定されるものでなく、公衆電話からでも実行できる。
【００５２】
建物関係者が複数人いて異なる時間に出入りする場合には、監視建物の出入口扉の錠前装置の鍵６と電波発射機７及びタグ８とを必要数揃えて、キーホルダ等により、切り離さないようにして各人が所持するようにすれば、各人が異常通報機能の設定及び解除を行なうことができる。
従って、子供が一番最後に家を出る場合にも、異常通報機能の設定を促す警告があるので、異常通報機能の設定と鍵の掛け忘れが解消できる。それでも、親が心配なときは、上述したように外部から電話を掛けることにより、異常通報機能が設定されているか、解除になっているか確認できる。
【００５３】
さらに、このセキュリティ電話機１は、夜間に訪問客が来て異常通報機能を解除して監視建物Ｈの出入口の扉を開けたところ、強盗に変身して押し入られるとき、入口付近の壁面等に設ける緊急通報スイッチ３ｃを押すと、スイッチ３ｃの信号が緊急通報入力端子６０を介して制御装置１７に検知される。制御装置１７は、異常通報機能を設定してあるか、ないかを問わず、警告信号出力端子４０へ信号を送り図１の警告手段４ｂから警告音を連続的に鳴らし、監視カメラ２ｃ1 、２ｄを除く全ての監視カメラ２ａ、２ｂ1 、２ｂ2 、２ｃ2 が撮影した映像を画像圧縮部４２で画像圧縮して映像メモリ４３ａに記憶するようにしてから、１１０番をオートダイヤルし、異常通報受付電話機との回線が接続したら、応答メッセージ出力部２２に信号を送って該応答メッセージ出力部２２の第五記録部の「強盗！助けて！強盗！助けて！強盗！助けて！」という叫ぶ音声を流してから、応答メッセージ出力部２２の音声記憶部に予め音声入力してある氏名、住所を二回繰り返し、次いで、再び応答メッセージ出力部２２に信号を送って該応答メッセージ出力部２２の第六記憶部の「映像を送信します！映像を送信します！シャープ（「＃」）のボタン！シャープ（「＃」）のボタンを押して下さい」と言う音声を出力して、「＃」のボタンを押して生ずるＰＢ信号がＰＢ信号検出器２７に入力し解読機２８が解読したら、前記映像メモリ４３ａに記憶した映像を送信して警察署の電話機９Ａのディスプレイ９Ａ1 に映像が映るように構成されている。図７の第十四ステップで緊急通報スイッチ３ｃが押されないか常にウオッチングしており、押したときのジャンプ先のサブルーチンプログラムＬのフローチャートは示していない。
監視カメラは、ＰＢ信号により上下左右に揺動できるようにしても良い。
【００５４】
このセキュリティ電話機１は、予備の緊急通報用入力端子６２を備えている。この端子６２は、画像処理部４１の四ビットの異常信号が制御回路１７に入力する端子に接続されている。利用方法としては、動くことができない要介護老人や心臓疾患がある寝たきりの病人の異常通報機能に用いる。具体的には、緊急通報用入力端子６２に延長ケーブルを介して緊急通報スイッチを接続し、該スイッチを要介護老人や病人の手の届く位置に設ける。スイッチを押すと、画像処理部４１で映像に異常を検出しないにも係わらず、制御回路１７が異常を検知して、サブルーチンプログラムＢにジャンプする。この場合、異常通報機能を設定していないと、異常通報が行なわれない。出入口の監視カメラ２ａについてのみ異常通報機能を設定する。又、金庫が移動されるか、金庫の扉が開けられた時に信号入力するように用いることができる。
さらに、ＧＰＳシステムを利用した自己位置決定手段を備えていて、予備の緊急通報用入力端子６２を押したとき、異常発生の場所をカーナビゲーションのロケーション情報として警察署又は消防署の異常通報受付電話機９Ａ又は９Ｂのディスプレイに点滅表示されるように信号出力する構成であることが好ましい。
実施の携帯のセキュリティ電話機１は、携帯電話機でもあるので、専ら監視建物Ｈに備えるというものではなく、監視カメラのケーブル４６と切り離して監視建物Ｈの戸締りをしっかりして、旅行等に持参しても良い。
【００５５】
このセキュリティ電話機１は、操作部２９の「＃」ボタン＋管理画面呼び出しボタン２９ｆを押すと、図示しない管理画面が表示部３０に表示される。この画面には、電話帳機能、スケジュール管理機能、インターネット機能、名刺管理機能、スクラップブック機能、カレンダ機能、計算機機能、時計機能、メモ帳機能等の選択ボタンを集中させておいて、選択してクリックすれば、各機能のプログラムが作動するように構成されている。（図示しない）
【００５６】
監視建物Ｈが住居である場合、夜間は、玄関の監視カメラとガレージの監視カメラについて異常通報機能の設定を行ない、他の監視カメラは機能を解除しておくと、強盗や火災や車の盗難に有効に対処できる。
【００５７】
表１は本願発明の実施の形態のセキュリティ電話機１の概略の機能（全てではない）を示す。
【表１】
0004406981.tif 000002
【００５８】
図７ないし図２２は、上記のように回路構成されたセキュリティ電話機１に最大限の機能を持たせるためのプログラムのフローチャートを示す。又、図７乃至図２２の示すフローチャートは、かなりの実用設計レベルに近い詳細なフローチャートであり、機能にあらゆる融通性を持たせて構成してある。
これらのプログラムはＲＯＭ３２に格納されていて、制御回路１７が行なう作業命令である。ＲＯＭ３２は、ＥＥＰＲＯＭやフラッシュメモリやＤＶＤメモリであっても良い。
以下、プログラムのフローチャートを参照して、セキュリティ電話機１の機能を説明する。
【００５９】
図７のメインプログラムのフローチャートを中心に説明する。メイン電源をオンにすると、イニシャライズ−プログラム検証−と進んでから、チェック項目を一つ一つ入力の有無をチェックしていく。
本願発明は、チェック項目の順序を図７のフローチャートに限定するものではない。
第三ステップは、セキュリティ電話機１の操作部２９のスイッチ２９ａを押されないかチェックし、スイッチ２９ａを押すと、図８のサブルーチンプログラムＡにジャンプしてＲＡＭ３１に設定するフラグをチェックして異常通報機能が設定されていなければ設定し、又、異常通報機能が解除されていなければ解除する。
第四ステップは、監視カメラの映像を画像処理する画像処理部４１が異常を検出して信号を入力しないかチェックし、信号が入力すると、図９のサブルーチンプログラムＢにジャンプしてフラグをチェックして異常通報機能が設定されている場合に予め登録された電話番号をオートダイヤルして接続したら「異常発生！異常発生！ボタンをどれか一つ押して下さい！異常発生！異常発生！ボタンをどれか一つ押して下さい！」のメッセージを伝え、外部の電話からのＰＢ信号による指示に従って、映像を送信する。
第五ステップは、電波発射機７のボタン７ａを押すことより発射される異常通報機能を設定する電波を受信しないかチェックし、電波を受信したときは、図１０のサブルーチンプログラムＣにジャンプして異常通報機能が設定されていなければ設定する。
第六ステップは、電波発射機７のボタン７ｆを押すことより発射される異常通報機能を解除する電波を受信しないかチェックし、電波を受信したときは、図１１のサブルーチンプログラムＤにジャンプしてフラグをチェックして異常通報機能が解除されていなければ解除する。
第七ステップは、監視建物Ｈの出入口に図１のタグ８を所持した建物関係者が来ないかチェックし、来たときは、図１２のサブルーチンプログラムＥにジャンプしてフラグをチェックして異常通報機能が設定されていないときに異常通報機能を設定するように促す警告信号を出し、電波発射機７で異常通報機能を設定する電波、又は、異常通報機能を解除する電波を発射するまで警告信号を三回出力する。
第八ステップは、施錠状態から解除状態になるときをチェックしていて、なったときは、図１３のサブルーチンプログラムＦにジャンプしてフラグをチェックして異常通報機能が設定されているときに解除が行なわれると、異常通報を回避するために、出入口の扉を開ける前に異常通報機能を解除するように促す警告信号を出す。
第九ステップは、セキュリティ電話機１から電話をかけるときの処理であり、ハンドセット１４を持ち上げると、フックスイッチ１２がオンになるのを検知してサブルーチンプログラムＧにジャンプするように構成されている。
第十ステップは、外部の電話機からセキュリティ電話機１に電話をかけてきたときの処理である。図１５のサブルーチンプログラムＨにジャンプし、留守番モードの機能が確保され、留守番モードを設定しているときにはその機能を損なわないようにして、留守番モードを設定しているか、又は解除しているどちらのときであっても、図１６に示すように外部の電話機からＰＢ信号の暗号を送信すると、暗号解読して、異常通報機能を設定する暗号のときは図１８のサブルーチンプログラムＭにジャンプして異常通報機能を設定していなければ設定して「設定完了！設定完了！」の音声を出力し、異常通報機能を解除する暗号のときは図１９のサブルーチンプログラムＮにジャンプして異常通報機能を解除していなければ解除して「解除完了！解除完了！」の音声を出力し、留守番モードを設定する暗号のときは図２０のサブルーチンプログラムＰにジャンプして留守番モードを設定していなければ設定して「設定完了！設定完了！」の音声を出力し、留守番モードを解除する暗号のときは図２１のサブルーチンプログラムＱにジャンプして留守番モードを解除していなければ解除して「解除完了！解除完了！」の音声を出力し、さらに、監視建物内の映像を要求する暗号のときは図２２のサブルーチンプログラムＲにジャンプしてＰＢ信号の指示信号にしたがって映像を送信するようになっている。図２２のサブルーチンプログラムＲは、一つの監視カメラの映像をいつまでも送信でき、かつ、異なる監視カメラの映像も選択でき、同一の監視カメラの映像をスクロールすることもできる。
上記のフローチャートは、応答メッセージと高周波音を聞き、メッセージ記録時間（一般的には約２０秒間）を過ぎてからＰＢ信号（暗号及び指示信号）を受け付けることになっている。しかし、２０秒も待っていられないという人もいるかもしれない。そこで、ベル音の奏鳴後にすぐにＰＢ信号（暗号及び指示信号）を受け付けるようにした方が良い。
すなわち、留守番モードを解除した状態においては、ベル音の鳴る回数が留守番モードを設定した状態のベル音の鳴る回数（たとえば４回）よりも多く鳴る（たとえば１５回位鳴る）ように構成し、ベル音が鳴るのが停止してからフックスイッチ１２に対して並列接続して設けられた切り換えスイッチ１５をオンにして電話回線を接続し、この時点以降の一定時間内に暗号入力を受け付けるように構成する。１５回位鳴るようにするのは、監視建物内に人がいればベル音が鳴りやまないうちに電話に出るであろうし、電話に出なければ電話をかけてきた人は受話器を置くであろうし、監視建物の関係者が電話回線を介して異常通報機能の設定又は解除や留守番モードの設定又は解除や映像送信を行ないたければベル音が鳴りやむまで待てるであろう。もって通常の電話機能を確保できてしかもＰＢ信号を送信してアクセスできるからである。
問題は、留守番モードを設定した状態におけるＰＢ信号によるアクセスに対する取り扱いである。留守番モードを設定した状態においては、ベル音を数回（たとえば４回）鳴らしてから、切り換えスイッチ１５をオンにして電話回線を接続し、この時点以降すぐにＰＢ信号（暗号及び指示信号）を受け付けるようにして、ＰＢ信号が入ったら異常通報機能の設定又は解除や留守番モードの解除や映像送信を行ない、ＰＢ信号が入ってこなかったら、留守番モードのまま対応するように構成する。
第十一ステップは、操作部２９のスイッチ２９ｃが押されないかチェックしていて、押されると、図１７のサブルーチンプログラムＩにジャンプしてフラグをチェックして留守番モードが設定されていなければ設定し、又は、留守番モードが解除されていなければ解除する。
第十二ステップは、操作部２９の「＃」ボタン＋画面呼び出しボタン２９ｅが押されないかチェックしていて、押されると、図示しないサブルーチンプログラムＪにジャンプして、表示部３０に秘密の電話番号と暗号等を入力する「電話番号／暗号の設定・変更画面」３０ａが表示され、さらに「映像再生制御画面」３０ｂが表示されるようになっている。ジャンプした後のサブルーチンプログラムｊのフローチャートは図示していない。
第十三ステップは、操作部２９の「＃」ボタン＋管理画面呼び出しボタン２９ｆが押されないかチェックしていて、押されると、図示しないサブルーチンプログラムｋにジャンプして、表示部３０に電話帳機能、スケジュール管理機能、インターネット機能、名刺管理機能等の他の全ての機能項目を選択する図示しない管理画面表示されるようになっている。ジャンプした後のサブルーチンプログラムＫのフローチャートは図示していない。
第十四ステップは、図１の緊急通報スイッチ３ｃが押されないかチェックしていて、押されると、図示しないサブルーチンプログラムＬにジャンプして、警報出力やカメラ撮影を行ない、１１０番通報して助けを求める音声通報と映像送信を行なう。ジャンプした後のサブルーチンプログラムＬのフローチャートは図示していない。
【００６０】
図１に示す監視機能付き携帯電話機５については、セキュリテイ電話機１のような詳細なブロック回路を示していない。
図１に示す監視機能付き携帯電話機５は、図２のタグ検出信号入力端子３３と警告信号出力端子３４と施錠信号入力端子３９と警告信号出力端子４０と電波発射機暗号書込み機４５と画像処理部４１と画像圧縮部４２と映像メモリ４３ａ，４３ｂとモデム４４と選択スイッチ４８と接続モジュール５５と有線／無線選択スイッチ５６と緊急通報入力端子６０，６２と信頼スイッチ６３を備えていない。イヤホンは使用できる構成である。
電波発射機暗号書込み機４５を設けないで電波発射機７に暗号書込み機能を備えても良い。
他方、監視機能付き携帯電話機５は、ＧＰＳシステムを利用した自己位置決定手段を備えていて、通り魔に教われたときなどに、操作部の専用のボタンを押すと、１１０番通報して自己位置と時間と映像を送信するように構成されている（図示しない）。
【００６１】
監視機能付き携帯電話機５は、リムーバブルなメモリ書込み読出し装置５ｂを有し、前記送信される映像を受信してメモリ書込み読出し装置５ｂにセットしたメモリ５ｃに圧縮記憶し、かつ受信した映像をディスプレイ５ａに映すように構成されている。メモリ５ｃは外装がステックタイプのケースであるフラッシュメモリを採用するのが好ましい。メモリ書込み読出し装置５ｂは、図２のダビング用映像入出力端子５７に接続される外部記憶装置に該当する。
【００６２】
監視機能付き携帯電話機５は、操作部の「＃」のボタンを押してから暗号をキー入力すると、ディスプレイ５ａに図５に示す「電話番号／暗号の設定／変更画面」５１が表示され、又、「＃」のボタンを押さないで暗号をキー入力すると、図６に示す、暗号及び電話番号が除かれた短縮番号の説明が表示された「短縮ボタン機能一覧表示画面」５３が表示されるように構成されている。この暗号を忘れたときのことを考慮して、図３に示すように、セキュリティ電話機１の表示部３０に「電話番号／暗号の設定・変更画面」３０ａを表示してその中に記憶させておくのがよい。
暗号及び電話番号の入力は、図５に示す「電話番号／暗号の設定／変更画面」５１において行うことができ、この画面で予め電話番号と暗号を設定しておかないと、図６の短縮番号は使用できないようになっている。
【００６３】
建物関係者は、セキュリティ電話機１について図３及び図４に示す画面を表示して電話番号と暗号を設定するときに、監視機能付き携帯電話機５について図５に示す画面を表示して電話番号と暗号を設定して、電話番号及び暗号の不一致を回避するようにする。
【００６４】
監視建物Ｈにおいて異常が発生しセキュリティ電話機１から監視機能付き携帯電話機５へ異常通報があって回線を接続すると（電話に出ると）、「異常発生！ボタンをどれか一つ押してください！・・・」の音声が流れるので、携帯電話機５の操作部の「１」〜「９」、「０」、「＃」、「＊」のいずれかのボタンを一回だけ押してＰＢ信号をセキュリティ電話機１へ送信してやれば、セキュリティ電話機１から最初に撮影した異常（不法侵入者）が映っている映像を送信してきて、該携帯電話機５のディスプレイ５ａに映る。
そこで、建物関係者が「＃」のボタンを押さないで暗号をキー入力すると、図６の「短縮ボタン機能一覧表示画面」５３が表示される。この画面５３の表示に従って所望のボタンを押せば、所望の一部又は全ての映像５２を見ることができる。不法侵入者が声を出すときは、回線が接続しているので聴こえてくる。侵入者が身内の者、社員であることが分かったときは、声をかければ聞こえるので、セキュリティ電話機１をテレビ電話として通話することができる。
【００６５】
平常時に、ディスプレイ付き電話機５からセキュリティ電話機１に電話をかけて監視建物Ｈの内部を見たいときは、「＃」のボタンを押さないで暗号を入力すると、図６の「短縮ボタン機能一覧表示画面」５３が表示されるので、この画面５３を見てキー操作を理解し、「＃」＋「５」とボタンを押して映像を要求し、ディスプレイ５ａに映像５２が映ってから、寸時映像が途切れる度に、「短縮ボタン機能一覧表示画面」５３に示されるボタン機能の表示に従って所望のボタン操作を押せば、セキュリティ電話機１がボタン操作以後に映像メモリ４３ａに記憶する映像を送信してくるので、所望の一部又は全部の映像をディスプレイ５ａで見ることができる。
なお、平常時とは、画像処理部４１から制御回路１７に対して異常信号を出力しているときである。フローチャートにおいて「平常か」とはこの異常信号の入力がないかと言うことである。
平常時に、ディスプレイ付き電話機５からセキュリティ電話機１に電話をかけて監視建物Ｈの内部を見ることを行うと、アクセスのやり方が理解できて、異常時に対応すべきキー操作につまづくことがない。
又、出入口に関して不法侵入の異常通報機能が確保できて、しかも、外部から監視建物Ｈの内部を見られるので、この機能を利用することで、施錠して、子供が一人で居るときや寝たきりの要介護老人の監視が必要なとき、或いは夜間はペットだけにして管理する必要があって、しかも、ときどきその状況を遠隔地で見たいときに利用できる。このとき、ボタン２９ｊを押すと、テレビ電話になる。このような目的で使用する監視カメラ２ｂ1 ，２ｂ2 は、カメラの撮影方向を垂直揺動と水平揺動できるブラケット装置に装着して、外部から映像を見るときにブラケット装置を無段階に望みの方向に遠隔駆動できる構成とし、さらに、カメラのレンズを高級かつ焦点距離が変化する遠隔駆動できる構成とするのが好ましい。さらに、老人ホーム等で使用する場合には、部屋数に応じて数十台のカメラを接続できる構成とする。
【００６６】
特殊な利用方法として、他人のペットをその他人が旅行する等の不在時に食事をさせたりトイレの世話をする委託業務において、頼まれて世話をする人がその他人の家に行ってペットの世話をする場合に、依頼者が、電話をかけてきて本当に世話をしてくれているか覗き見することが考えられる。外部から監視建物Ｈの内部を見られるという機能は、このような利用の仕方をすると、信頼関係が損なわれる。そこで、当事者の了解の下に、信頼スイッチ６３を切ることにより、全ての監視カメラの映像が入力しないようにする。この信頼スイッチ６３は、例えば、回路状はモデム４４と通話回路１３との間に介設すれば良い。信頼スイッチ６３を使うことは少ないと考えられるので、設ける位置は電話機筐体の側面にすると良い。スイッチ６３をオフにしたときは、上記の世話をする人が帰宅する際に必ずスイッチ６３をオンにすることを行なわないと、その後のセキュリテイが確保できなくなる。
【００６７】
平常時に、ディスプレイ付き電話機５からセキュリティ電話機１に電話をかけて異常通報機能の設定又は解除を行うときは、留守番モードでないときは、回線が接続した時点より２０秒以内に「＃」＋「１」又は「＃」＋「２」とボタンを押すことにより、又、留守番モードのときは、回線が接続し応答メッセージの後のメッセージの記録時間帯になった２０秒以内に「＃」＋「１」又は「＃」＋「２」とボタンを押すことにより、セキュリティ電話機１の解読機２８が解読して異常通報機能の設定又は解除を行う。
【００６８】
不法侵入者が泥棒であると確信したときは、「＃」＋「１」＋「０」と短縮ボタンを押せば、監視建物Ｈの管轄警察署に電話して異常を通報でき、図６の画面５３で「映像転送」を指示する「＃」＋「５」＋「３」とボタンを押せば、制御回路１７がそのボタンのＰＢ信号を検出してＲＡＭ３１に予め記憶してある建物関係者の当該携帯電話機５の電話番号、氏名、又は名称及び氏名、年齢、監視建物Ｈの所在地、建物名、階層、部屋番号、監視建物の付近の地図を最初に送信し、次に建物関係者の携帯電話機５で受信した異常（不法侵入者）が映っている映像を送信するように構成されている。
同様に、異常が火災の発生であることを確信したときは、「＃」＋「１」＋「９」と短縮ボタンを押せば、監視建物Ｈの管轄消防署に電話して異常を通報でき、又、図６の画面５３で「映像転送」を指示する「＃」＋「５」＋「３」とボタンを押せば、前記と同様の送信が行なわれる。
【００６９】
特に、有効な方法として、監視機能付き携帯電話機５について、電話局より三者通話サービスを受けるようにしておく。その効果は、上記のように、建物関係者が受信した映像から不法侵入又は火事であると確信したら、フックスイッチ１２を素早く一回オフにしてオン状態にすると、セキュリティ電話機１との接続が電話局に保留になり、しかる後に、管轄警察署又は管轄消防署に電話して異常を通報し、かつ、氏名等の個人データと異常が映っている映像を送信した後、引続き手短かに説明してから、再びフックスイッチ１２を素早く一回オフにしてオン状態にすると、セキュリティ電話機１と監視機能付き携帯電話機５と管轄警察署の電話機９Ａ又は管轄消防署の電話機９Ｂが三すくみで接続状態になるから、建物関係者が、図６の画面に示すボタン操作の一覧を見ながらボタン操作すれば、その都度、ＰＢ信号がセキュリティ電話機１に受信され、その後に生じている生の映像をセキュリティ電話機１が監視機能付き携帯電話機５と管轄警察署の電話機９Ａ又は管轄消防署の電話機９Ｂに対して送信することになり、従って、建物関係者及び警察官若しくは消防官が同時に所望の一部又は全ての生の映像を見ることができる。その後、「＃」＋「９」＋「９」とボタンを押せば、セキュリティ電話機１との接続を断つＰＢ信号が流れて、セキュリティ電話機１との接続を断つことができる。引続き、セキュリティ電話機１と管轄警察署の電話機９Ａ又は管轄消防署の電話機９Ｂの回線接続が確保される。従って、異常について話し合い、出動の要、不要を決めることができる。
建物関係者は直ちに駆けつけ、警察官又は消防官も監視建物Ｈに緊急に駆けつければ、不法侵入者の逮捕の確率が高くなり、又は火事を初期の段階で迅速な消防活動ができ、もって、効果的な防犯防火が期待できる。
そして、管轄警察署の電話機９Ａ又は管轄消防署の電話機９Ｂの映像メモリに異常が映っている映像が証拠として残される。
【００７０】
ｃｄｍａ２０００方式及びＷ−ＣＤＭＡ方式が実現すると、２メガビット／秒のデータ電送量が可能になるので、動画を圧縮して異常通報すること、及び、インターネットを利用することが防犯、防火等において効果的である。
【００７１】
もしも、このような防犯防火通報システムを受ける公的な保安センターが各地区に設置されるならば、管轄警察署や管轄消防署に替わって一次的に受けて建物関係者と話し合い、管轄警察署や管轄消防署の出動要請は保安センターから行なってもらえば良い。
監視建物の加入と警察署及び消防署への登録を促進できて、防犯・防火システムを官民一体で構築でき、警備会社への委託が必要でなくなる。
以上の通信において、暗号は管轄警察署、管轄消防署、又は保安センターに決して知られることはないので、プライバシーは守られる。
【００７２】
監視機能付き携帯電話機５の所持者が他と電話中のときはセキュリティ電話機１からの電話が通じないと異常を通報できないことになる。これを回避するために、監視機能付き携帯電話機５は、電話局よりキャッチホンサービスを受けるようにする必要がある。
キャッチホンサービスとは、電話局が行なっているサービスであり、具体的には、今、Ａが電話会社からキャッチホンサービスを受けているものとして、ＡとＢとの電話中にＣからＡに電話がかかると、Ａに対してＢ以外のものから電話が掛かってきたことを例えばチッ、チッ、・・・・という割り込み音で電話交換機からＡに対してＡとＢとの会話音に重なって流すことによりＡに知らせることができ、Ａが受話器を置いてすぐに持ち上げるとＣと電話が繋がり、Ｂとの電話は電話交換機で保留状態になり、Ａが受話器を置いてすぐに持ち上げると今度はＢと電話が繋がるシステムである。
【００７３】
監視機能付き携帯電話機５について、キャッチホンサービスを受けていれば、他との電話中に、自宅或いは自分の会社のセキュリティ電話機１からの異常を知らせる電話が入ったときは、上述した三者通話と同様に、フックスイッチ１２を素早く一回オフにしてオン状態にすると、セキュリティ電話機１に回線が接続される。「異常発生！異常発生！ボタンをどれか一つ押して下さい！異常発生！異常発生！ボタンをどれか一つ押して下さい！」の音声が流れるので、再びフックスイッチ１２を素早く一回オフにしてオン状態に保ち今まで話していた電話機に接続し、「異常通報があったので電話を切ります。後で電話します。」と言って、三たびフックスイッチ１２を素早く一回オフにしてオン状態に保ち、セキュリティ電話機１に回線を接続する。
そして、上述したように、携帯電話機５の操作部の「１」、〜「９」、「０」、「＃」、「＊」のいずれかのボタンを押してＰＢ信号をセキュリティ電話機１へ送信してやれば、セキュリティ電話機１から最初に撮影した異常（不法侵入者或いは出火状態）が映っている映像を送信してきて、該携帯電話機５のディスプレイ５ａに映る。
そこで、建物関係者が「＃」のボタンを押さないで暗号をキー入力すると、図６の「短縮ボタン機能一覧表示画面」５３が表示される。他の映像が見たければ、この画面５３のボタン機能の表示にしたがって所望のボタンを押せば、映像メモリ４３ａに記憶された所望の一部又は全ての映像を見ることができる。
【００７４】
監視機能付き携帯電話機５は、電話局よりキャッチホンサービスではなくキャッチホンサービスIIを受けることもできる。キャッチホンサービスIIは、キャッチホンサービスのような割り込み音が入らない。通話が終わると、直ちに、誰から電話があったか伝えてくれるサービスである。従って、監視機能付き携帯電話機５を使って長時間話していると、異常通報を異常が発生した時点でキャッチできない。しかし、キャッチホンサービスIIを受けていると、異常通報の受信時に割り込み音が入らないので、異常が映っている映像が割り込み音で乱れるということはない。但し、不法侵入者が大声を出せば、その声がマイクロホン２５に拾われて異常が映っている映像に混ざってくることがあるが、割り込み音が長く入っているよりは映像を乱れさせることは少ないと考えられる。
従って、現在において、キャッチホンサービスとキャッチホンサービスIIは択一的に受けられるサービスであるが、電話交換機の技術改善が進めば、キャッチホンサービスとキャッチホンサービスIIの両方を受けておいて、通常時はキャッチホンサービスを受けるようになっていて、キャッチホンサービスで回線が繋がった電話機については、その通話中は自動的にキャッチホンサービスIIになるサービスを受けるようにする。
【００７５】
本願発明の防犯・防火システムは、不法侵入や火災が生じたことを検知して外出先の建物関係者のディスプレイ付き携帯電話機で異常時の映像を受信でき、確認した後に警察や消防等に異常時の映像を送信して通報できるシステムであり、警察署又は消防署に通報して警察官又は消防官の出動を促し監視建物Ｈへの立入りを伴い、又、通報が誤報であってはならないことから、相互信頼の醸成が必要となるものと考えられる。
【００７６】
そこで、監視機能付き携帯電話機５からの通報は登録制にするのが良い。具体的には、本願発明の防犯・防火システムを装備している監視建物Ｈであることを警察署及び消防署に登録しておき、監視機能付き携帯電話機５とのディスプレイ付き電話機９Ａの間で、及び監視機能付き携帯電話機５とのディスプレイ付き電話機９Ｂとの間で、異常時映像送信のテストを行なって機器相互間の相性の確認、短縮ボタンを押すことにより管轄警察署、管轄消防署、又は上述した公的な保安センターへの通報が正しくオートダイヤルできることの確認、映像転送のボタンを押すことによりディスプレイ付き電話機９Ａ又は９Ｂのディスプレイ９Ａ1 又は９Ｂ1 に映る映像とディスプレイ５ａに映る映像とが同一であることの確認、等の各テストを行なって全てが正常であるディスプレイ付き電話機５に対して、監視建物Ｈとディスプレイ付き電話機５を関連させて個人情報（全ての暗号を除く）とともに登録する制度を構築するのが好ましい。
個人の秘密に関するＰＢ信号の暗号の設定は、警察署及び消防署に知らせる必要がなく、知らせないことでシステムが損なうものではない。
なお、誤報を皆無とするために、上記のテストの後は、「警察署へ通報」と「消防署へ通報」と「映像転送」の選択確定は、「異常時映像送信」の選択確定を行なっているときでないと機能しないようにロックがかかる構成にしておくのが良い。
監視機能付き携帯電話機５とディスプレイ付き電話機９Ａ、９Ｂとの回線接続が構築されるまでは、監視機能付き携帯電話機５から警察署又は消防署への映像の送信はファクシミリやパーソナルコンピュータを用いれば良い。すなわち、ファックスで先に映像を送り、次いで、電話して不法侵入又は火事が発生したことを通報する。この場合、警察署及び消防署のファクシミリ番号及び電話番号を予め調べて登録しておき、警察署及び消防署にも本願発明の防犯・防火システムについて了解を求めておく。
【００７７】
上記のセキュリティ電話機１の機能・効果（全てではない）を表２に示す。
【表２】
0004406981.tif 000003
【００７８】
以上説明してきたように、本願発明は、上記の実施の形態に限定されるものではない。上記の実施の形態は、不法侵入と火事のいずれか一方が発生しても対応する構成であるが、不法侵入だけに対応する構成と、火事だけに対応する構成、ガレージの車両の盗難だけに対応する構成も本願発明に含まれる。
なお、セキュリティ電話機１は、監視カメラが撮影した映像を画像処理して不法侵入者の検知及び火災の発生を検知できる画像処理機能に依らないで、不法侵入者が監視建物Ｈの出入口のドアの錠前を開けるか、或いは壊してドアを開けて侵入しようとするときはドアの内側に設けられドアが開くと接触して作動するドアセンサが不法侵入を検知し、又、不法侵入者がガラス窓のガラスを割って鍵を開けガラス戸を開けて侵入しようとするときはガラスを割ったことを検知するガラスセンサが不法侵入を検知し、又、前記二つのセンサによるセンシングの有無に係わらず、不法侵入者が監視建物内の部屋或いは通路の特定位置に来たとき、人体から発する赤外線を検知する赤外線センサが不法侵入を検知するように構成し、又、厨房のガス機具又は電気器具からの失火、コンセントからの失火、ＴＶ等からの失火、アイロンの電源スイッチの切り忘れによる失火、隣接の監視建物火災の類焼等により、監視建物Ｈ内に煙が発生し、火炎が出て紫外線が発生すると、各部屋の天井面に設けた煙センサ及び／又は紫外線検知センサが検知するように構成して、センサ信号がコントローラ２に入力した時点より、コントローラ２がセンサに対応して備えられている監視カメラの映像をメモリに記憶するように構成されていても良い。ガレージの車両の移動についてはフラックスゲートセンサ（地磁気センサ）を用いるのが良い。
又、実際の回路構成において、図示の回路と相違しても差し支えない。
上記の実施の形態は、ＰＢ信号をＰＢ信号検出機２７で変調して解読機２８で解読する構成としているが、ＰＢ信号ではなくても、「異常通報機能設定」、「異常通報機能解除」、「通常時映像送信」、「異常時映像送信」にそれぞれ対応する予め決められた信号音であることを正しく判別できる回路であれば足りる。必ずしもＰＢ信号でなくても良い。
映像を表示できず文字を表示できるディスプレイ付き携帯電話機を第二の異常通報先に選んで登録しておくと、異常通報の電話がかかってくるときは、「異常発生！異常発生！ボタンをどれか一つ押して下さい！異常発生！異常発生！ボタンをどれか一つ押して下さい！」の音声を聴くことができる。
監視機能付き携帯電話機５は、日本国において区別される携帯電話機とＰＨＳのいずれも含む他、イリジウム衛星等の将来において確立される可能性がある衛星回線を利用する無線電話機も含む。
本願発明のセキュリティ電話機は、夜間に門扉を閉じた状態から開扉した信号を入力し、次に、一定時間内に玄関の少し手前に備える赤外線検知器が出力する検知信号を入力したときは、セキュリティ電話機１のスピーカ２０を鳴らし、次いで、玄関外に備える監視カメラで撮影した映像を表示部３０に表示するように構成を付加しても良い。こうした考えは、本願発明は、考えられる全ての安全保障を網羅するセキュリティ電話機を安価で、使いやすくて、全ての家庭や職場に配備して異常通報、遠隔監視ができて不法侵入、火災、盗難の発生を予防し、又、インフォームドコンセント等に役立つセキュリティ電話機及び異常監視機能付き携帯電話機及び異常監視装置を提供することを目的としているからである。
本願発明のセキュリティ電話機及び監視機能付き携帯電話機は、上掲の表１及び表２に示すように、普通に使える電話機であるので、文字通信機能、電話帳機能、漢字入力機能、テレビ電話機能を備えていることが好ましく、発信者の電話機がディスプレイ付き電話機と自宅の電話機と電話帳に載せてある電話機と公衆電話機の何れであるかを判別して別々の着信音と応答メッセージを出力する機能を備えていることが好ましい。
【００７９】
【発明の効果】
以上説明してきた本願発明のセキュリティ電話機及び監視機能付き携帯電話機及び異常監視装置の、特開平０９−０５４８８７号公報に開示されている発明、並びに、特開平１１−２２４３８３号公報に開示されている発明に比べて優れている特有の効果を以下に既述する。
【００８０】
本願第一の発明のセキュリティ電話機によれば、
（１）異常が発生したとき通報を行なう異常通報機能の設定又は解除する暗号が操作部の操作により登録することができて、異常通報機能の設定又は解除が、電話機の操作部の操作により行なえるほかに、外部の電話機若しくはパーソナルコンピュータ等の情報端末による暗号送信により、又は、セキュリティ電話機の設置場所から離れている監視建物の出入口付近から発射する微弱な暗号電波を受信することにより行なえる構成なので、
建物所有者が所持するディスプレイ付き携帯電話機が単一であっても、電波発射機を必要な個数容易すれば複数人の利用の利便が図れる。電波発射機を紛失してしまった場合も、公衆電話機等、外部の電話機から異常通報機能を設定する暗号、又は異常通報機能を解除する暗号を入力すれば、急場を凌げる。又、暗号が分からなくても、セキュリティ電話機に予め登録されている監視機能付き携帯電話機へ電話をかけて説明し、同電話機からセキュリティ電話機に電話をかけて暗号送信すれば異常通報機能の設定又は解除が行なえて急場を凌げる。セキュリティ電話機に予め登録されている異常通報先のディスプレイ付き携帯電話機に異常通報機能の設定又は解除を行なう二つの暗号に短縮ボタンを設定しておけば、暗号を忘れてしまって異常通報機能の設定又は解除ができなくなるという支障が生じない。又、監視建物の出入口付近から発射する暗号電波による異常通報機能の設定又は解除の場合も、暗号入力して暗号電波を発射するものではないので、暗号を忘れてしまって暗号電波を発射することできなくなるという支障が生じない。電波発射機を紛失してしまった場合も、鍵と同様に、氏名・住所を付記していなければ悪用される惧れがない。
従来の特開平１１−２２４３８３号の発明では、異常が発生したとき通報を行なう異常通報機能の設定又は解除が、明記されておらず、普通に考えると、電話機の操作部の操作により行なえる構成であると考えられ、従って、複数人の利用の利便が図れていない。
又、特開平９−０５４８８７号の発明では、外出先から帰ってきて入室しようとしてテンキーパネルに入力する暗号をど忘れしてしまうと、異常通報機能を解除できなくなるから、扉を開けると異常通報が行なわれてしまい、自分の電話機に異常が通報され、無駄に一通話が消費されることになる。又、テンキーパネルを悪戯されて異常通報機能が解除される惧れがある。
（２）異常通報機能を解除した状態では異常通報を行なわない。
従って、監視建物内に人がいるときは異常通報機能を解除しておけば、人の動きを検知して異常発生の認識することがなく、全員が不在になるときに異常通報機能を設定すれば良い。
（３）異常通報機能を設定しかつ留守番モードを解除した状態において異常が発生したときにはすぐに、又、異常通報機能を設定しかつ留守番モードを設定した状態において異常が発生したときには、留守番モードで応答中であっても途中で通話を断ってすぐに、セキュリティ電話機に予め登録された異常通報先の電話番号をオートダイヤルするように構成されているので、
留守番モードを利用できかつ留守番モードが異常通報機能に悪い条件を与えることがない。
（４）セキュリティ電話機に予め登録された監視機能付き携帯電話機の電話番号をオートダイヤルして回線が接続したら、異常を知らせる通報又は映像の送信許可を求める信号を送信してから、前記ディスプレイ付き電話機からの映像送信を要求する信号を送信してくるのを待って、信号を送信してくると、監視カメラが撮影した異常が映っている映像を送信できる構成なので、
監視機能付き携帯電話機の所有者が電話を出たら、ディスプレイに異常が映っている映像がいきなり流れることはなく、異常を知らせる通報又は映像の送信許可を求める信号をきくことにより、異常通報に対してその後の受信準備ができる。
異常通報に対してその後の受信準備ができることは、監視機能付き携帯電話機についてキャッシュホンサービスを受けていると非常に効果が大きい。具体的には、前記所有者がディスプレイ付き電話機で他の電話機との間で通話していて、セキュリティ電話機から異常通報の電話がかかってくる場合、プップッ、プップッ、・・・という割り込み音が聞こえてくるので、フックスイッチを一回だけ素早くオフ・オンすると、セキュリティ電話機からの異常通報又は映像の送信許可を求める信号が聞こえる。そこで、フックスイッチを一回だけ素早くオフ・オンして、今まで話していた電話先の相手に電話を切ることを断ってから、暗号をボタン入力して、ディスプレイの片隅にこれから送信されてくる映像をコントロールする「短縮ボタン機能一覧画面」を呼び出してから、再び、フックスイッチを一回だけ素早くオフ・オンすると、セキュリティ電話機からの異常通報又は映像の送信許可を求める信号が継続して聞こえるので、この時点で、映像送信を要求する信号を送ってやれば、セキュリティ電話機から異常が映っている映像を送ってくるので、「短縮ボタン機能一覧画面」による映像の制御ができるゆとりができる。
従って、異常通報の電話がかかってくる前の相手が重要な商談中とかの場合であっても、丁重に断りを入れてから、セキュリティ電話機からの異常通報に対処できるので、セキュリティ電話機からの異常通報が商談を破断にするようなことには到らないで済む。
従来の特開平１１−２２４３８３号の発明では、同様のキャッチホンサービスを受けたとしても、相手に通話を中断する断りを入れている間に、異常が映っている映像が見えなくなってしまうことがある。
又、特開平９−０５４８８７号の発明では、異常が映っている映像を送信できない。
（５）外部の電話機やパーソナルコンピュータ等の情報端末よりセキュリティ電話機に電話をかけて映像送信を要求する暗号を入力すると、
留守番モードを解除した状態においては、ベル音の鳴る回数が留守番モードを設定した状態のときよりも所定回数多く鳴るように構成されていて、ベル音が鳴るのを停止してから電話回線を接続し、この時点以降の一定時間内に、前記の情報端末による暗号送信を受信して監視建物内又はガレージを撮影した映像を取り込んで画像圧縮をかけて映像メモリに記憶してある映像を送信するように構成されているので、
セキュリティ電話機に予め登録された監視機能付き携帯電話機の所有者以外の者、及び該所有者がセキュリティ電話機に普通の通話を行なうために電話をかけてきたときには、監視建物内に人がいれば、ベル音が鳴り終わらないうちに電話にでることができれば普通に通話できる。
そして、監視建物内の映像を見ようとして、監視機能付き携帯電話機の所有者がセキュリティ電話機に電話をかけてきたときには、監視建物内に人がいない場合には、ベル音が鳴り終わってから監視建物内の映像を見ることができ、監視建物内に人がいれば、ベル音が鳴り終わらないうちに電話にでると普通に通話できる。
（６）外部の電話機やパーソナルコンピュータ等の情報端末よりセキュリティ電話機に電話をかけて映像送信を要求する暗号を入力すると、
留守番モードを設定した状態においては、ベル音を数回鳴らして電話回線を接続し、この時点以降の一定時間内に、前記の情報端末による暗号送信を受信すると監視建物内又はガレージを撮影した映像を取り込んで画像圧縮をかけて映像メモリに記憶してある映像を送信するように構成されているので、
留守番モードが設定されていても映像送信ができ、情報端末のディスプレイで映像を見ることができる。
（７）映像の変更は、映像の変更を要求するＰＢ信号の入力に基づいて行なうように構成されているので、異常発生時に送信してくる映像と、平常時に外部からの暗号入力により送信してくる映像のいずれの場合も、複数の監視カメラの映像を選択して望みのままに見ることができる。異常発生時には、不法侵入者が誰であるのか、監視カメラを変更することにより多点ポイントで多面的に確認することでき、又、火災の発生についても何処で発生したか、何処まで類焼しているのか確認できる。従って、充分に異常の発生について誤認を防ぐことができるので、警察署又は消防署への異常通報の誤報を回避できる。
従来の特開平１１−２２４３８３号の発明では、玄関に向けた監視カメラ一台しかなく、多点ポイントで多面的に確認することできず、無断侵入した不審者の映像を瞬間的なものであると、同様のキャッチホンサービスを受けたとしても、相手に通話を中断する断りを入れている間に、異常が映っている映像が見えなくなってしまうことがあり、又、送信してくる映像は一方的なものであって、異常通報を受けた側から映像の選択、監視カメラの選択ができないから、無断侵入した瞬間を数秒間はっきり撮影できないときには、無断侵入した不審者が誰であるのか充分に確認できないので、異常通報機能の設定又は解除が電話機の操作部で行なえる構成と絡んで、複数人使用の場合に家族への訪問客を不法侵入者と誤認する場合があり、警察署又は消防署への誤報も起こりうる。
又、特開平９−０５４８８７号の発明では、異常が映っている映像を送信できない。
【００８１】
本願第二の発明のセキュリティ電話機によれば、
上述した本願第一の発明のセキュリティ電話機の効果を備えていることに加えて、以下の効果がある。
（８）画像処理部と画像圧縮部を、異常検知して異常通報先に映像を送信する場合と、平常時に外部の情報端末から送信されてくる映像要求信号に対して映像を送信する場合の両方に適用できる。又、センサによって異常を検出しそれに基づいて監視カメラの映像を取り込む場合に比べて、画像処理部と監視カメラを繋ぐ配線工事が容易になる。
又、異常が発生して最初に送信する映像には異常が映っているように構成されているので、監視機能付き携帯電話機の所有者が映像の変更を要求するＰＢ信号を送らなければ、いつまでも、異常が映っている最初の映像をじっくりと見ることができ、その後にＰＢ信号を送信して映像の変更して他の異常が映っている映像を探すことができる。
【００８２】
本願第三の発明のセキュリティ電話機によれば、
上述した本願第一の発明又は第二の発明のセキュリティ電話機の効果を備えていることに加えて、以下の効果がある。
（９）出入口を監視する監視カメラと厨房を監視する監視カメラの異常通報機能を確保し、他の監視カメラを異常検知対象から外せば、出入口から不法侵入があれば異常通報を行ない、厨房等で万一火災が起これば異常通報を行なうことができて、そのように異常通報機能が確保された状況で監視建物内に所在する自分では移動できない病人、高齢者、檻に入れられたペットを遠隔監視できる。従って、高齢者福祉施設における夜間の遠隔監視装置用のセキュリティ電話機として適用でき、又、ペットホテルやペット病院における遠隔監視装置用のセキュリティ電話機として適用できる。
【００８３】
本願第四の発明のセキュリティ電話機によれば、
上述した本願第一の発明乃至第三の発明のセキュリティ電話機の効果を備えていることに加えて、以下の効果がある。
（１０）異常通報機能を解除した状態で建物関係者が外出しようして出入口までくると、異常通報機能を設定するように促す警告信号が出力する構成なので、
出入口の位置で電波発射機より異常通報機能を設定する微弱電波を発射すれば異常通報機能を設定することができ、建物関係者がセキュリティ電話機の所まで戻って異常通報機能を設定／解除するボタンを押す面倒を回避できる。
又、建物関係者が異常通報機能を設定し施錠して外出した後、同じ建物関係者又は異なる建物関係者が解錠するか、又はタグを所持した関係者が監視建物の出入口の扉の前に立つと、異常通報機能を解除するように促す警告信号が出力する構成なので、
電波発射機より微弱電波を発射して異常通報機能を解除することができ、建物関係者が異常通報機能を解除することをうっかり忘れて扉を開いてしまい監視建物内で扉方向に向けた監視カメラで異常の発生を検知されて異常通報されてしまうことを回避できる。
又、不法侵入者にあっては、解錠して侵入しようとすると、警告信号を発するので、不法侵入を躊躇うことにつながる。
【００８４】
本願第五の発明のセキュリティ電話機によれば、
上述した本願第一の発明乃至第四の発明のセキュリティ電話機の効果を備えていることに加えて、以下の効果がある。
（１１）電話機本体内に電波発射機暗号入力機を備えているので、電波発射機に暗号の書込み・変更ができる。電波発射機を紛失した場合も新たに電波発射機を用意して暗号の書込みができる。電波発射機に暗号の書込み装置を備えると、電波発射機が大型化して重く厚く、必要数の電波発射機を備える必要があるので全体としてコストが高くなり携帯性がなくなる。又、電話機において電波発射機に書き込む暗号の登録を行なえば、セキュリティ電話機の回路を構成している解読機に登録する暗号と不一致になることはない。
【００８５】
本願第六の発明のセキュリティ電話機によれば、
上述した本願第一の発明乃至第五の発明のセキュリティ電話機の効果を備えていることに加えて、以下の効果がある。
（１２）通常時には有線電話回線による通話が確保され、犯罪者が電話線と送電線を切って不法侵入を行なうと、継続して蓄電池による電源が確保できてかつ自動的に無線電話に切り替わって継続して異常通報機能を確保し建物関係者の監視機能付き携帯電話機へオートダイヤルして異常通報を行い映像を送信する。
又、大地震或いは大火事等の天災により電話線と送電線が切れても、電源が確保できてかつ自動的に無線電話に切り替わるから、継続して異常通報機能を確保できる。
【００８６】
本願第七の発明の監視機能付き携帯電話機によれば、
（１３）第三者との通話中に、セキュリティ電話機から異常通報があったときに確実に異常通報を受け付けることができ、そして、自分で異常の発生を充分にチェックして誤報にならないように管轄警察署又は管轄消防署又は公的な保安センターへ異常通報できてかつ映像を転送することができ、しかも、管轄警察署等の異常通報受付電話機に応対した管理官とともに、セキュリティ電話機から送信されてくる異常が映っている全く同一の映像をそれぞれのディスプレイで見ることができて、建物関係者と管理官との間で話が現に送信されている異常が映っている映像についで、説明や質疑応答がリアルタイムで行なえる。
【００８７】
本願第八の発明の監視機能付き携帯電話機によれば、
（１４）本願発明のセキュリティ電話機において使用する数種類の暗号及び短縮符号を間違いなく設定できて、異常通報機能の設定又は解除、及び監視建物に備えた監視カメラで撮影した映像を受信するためのアクセスである暗号入力を短縮ボタン機能を使用してセキュリティ電話機に対して確実に行なえて、さらに、セキュリティ電話機から送信されてくる映像のコントロールを短縮ボタン機能を使用して行なうことができ、さらに又、異常が確認されたときは短縮ボタン機能を使用して監視建物の管轄警察署又は管轄消防署のディスプレイ付き電話番号を間違いなくきわめて簡単にオートダイヤルできる。
【００８８】
本願第九の発明の監視機能付き携帯電話機によれば、
本願第八の発明の監視機能付き携帯電話機の効果に加え以下の効果を有する。
（１５）セキュリティ電話機から送信されディスプレイに表示される映像を自由にコントロールできる。
【００８９】
本願第十の発明の監視機能付き携帯電話機によれば、
本願第一の発明のセキュリティ電話機の効果に加え以下の効果を有する。
（１６）監視建物の管轄警察署又は管轄消防署の異常通報受付電話機のディスプレイに対して、ディスプレイ付き携帯電話機の所有者、すなわち管轄警察署又は管轄消防署へ電話通報した人と異常が生じている建物の所在地を確実に管轄警察署又は管轄消防署へ伝えることができて、しかも映像を転送できるから、管轄警察署又は管轄消防署の異常通報受付電話機に応対した管理官に状況を一目で分かるように伝えられ、誤報か否かは直ちに確認でき、出動が迅速にできて現場への到着時間が短縮される。
【００９０】
本願第十一の発明の異常監視装置によれば、
（１７）上述したいずれかの本願発明のセキュリティ電話機が備えている全ての効果を備えた異常監視機能を有する。
【００９１】
本願第十二の発明の異常監視装置によれば、
本願第十一の発明の異常監視装置が備えている効果に加えて、以下の効果がある。
（１８）異常通報機能を解除した状態で建物関係者が外出しようして出入口までくると、異常通報機能を設定するように促す警告信号が出力する構成なので、出入口の位置で電波発射機より異常通報機能を設定する微弱電波を発射すれば異常通報機能を設定することができ、建物関係者がセキュリティ電話機の所まで戻って異常通報機能を設定／解除するボタンを押す面倒を回避できる。
又、建物関係者が異常通報機能を設定し施錠して外出した後、同じ建物関係者又は異なる建物関係者が解錠するか、又はタグを所持した関係者が監視建物の出入口の扉の前に立つと、異常通報機能を解除するように促す警告信号が出力する構成なので、
電波発射機より微弱電波を発射して異常通報機能を解除することができ、建物関係者が異常通報機能を解除することをうっかり忘れて扉を開いてしまい監視建物内で扉方向に向けた監視カメラで異常の発生を検知されて異常通報されてしまうことを回避できる。
又、不法侵入者にあっては、解錠して侵入しようとすると、警告信号を発するので、不法侵入をためらうことにつながる。
本願発明のセキュリティ電話機と監視機能付き携帯電話機を中核に備えた本願発明の異常監視装置によれば、建物関係者が外出先でディスプレイの映像を確認した後に警察署や消防署へ通報でき誤報を回避できて警備会社への委託が必要でなくなる。市町村単位の行政地域で公的な防犯・防火の通報を受け付ける組織ができて、警察署や消防署へ通報するシステムを構築できることに繋がるから、社会基盤整備としても好ましい。
【図面の簡単な説明】
【図１】本願発明のセキュリティ電話機と監視機能付き携帯電話機を中核に備えた本願発明の異常監視装置の実施の形態を示す概略説明図。
【図２】本願発明のセキュリティ電話機の実施の形態を示すブロック図。
【図３】本願発明のセキュリティ電話機の表示部に表示される第一の画面。
【図４】本願発明のセキュリティ電話機の表示部に表示される第二の画面。
【図５】本願発明のセキュリティ電話機の異常通報先の、本願発明の異常監視装置用のディスプレイ付き携帯電話機の表示部に表示される第一の画面。
【図６】本願発明のセキュリティ電話機の異常通報先の、本願発明の異常監視装置用のディスプレイ付き携帯電話機の表示部に表示される第二の画面。
【図７】メインプログラムのフローチャートを示す。
【図８】メインプログラムのフローチャートに示すサブプログラムＡのフローチャートを示す。
【図９】メインプログラムのフローチャートに示すサブプログラムＢのフローチャートを示す。
【図１０】メインプログラムのフローチャートに示すサブプログラムＣのフローチャートを示す。
【図１１】メインプログラムのフローチャートに示すサブプログラムＤのフローチャートを示す。
【図１２】メインプログラムのフローチャートに示すサブプログラムＥのフローチャートを示す。
【図１３】メインプログラムのフローチャートに示すサブプログラムＦのフローチャートを示す。
【図１４】メインプログラムのフローチャートに示すサブプログラムＧのフローチャートを示す。
【図１５】メインプログラムのフローチャートに示すサブプログラムＨのフローチャートの前半を示す。
【図１６】メインプログラムのフローチャートに示すサブプログラムＨのフローチャートの後半を示す。
【図１７】メインプログラムのフローチャートに示すサブプログラムＩのフローチャートを示す。
【図１８】サブプログラムＨのフローチャートに示すサブプログラムＭのフローチャートを示す。
【図１９】サブプログラムＨのフローチャートに示すサブプログラムＮのフローチャートを示す。
【図２０】サブプログラムＨのフローチャートに示すサブプログラムＰのフローチャートを示す。
【図２１】サブプログラムＨのフローチャートに示すサブプログラムＱのフローチャートを示す。
【図２２】サブプログラムＨのフローチャートに示すサブプログラムＲのフローチャートを示す。
【符号の説明】
Ｈ・・・監視建物、１・・・セキュリティ電話機、
２ａ，２ｂ1 ，２ｂ2 ，２ｃ1 ，２ｃ2 ，２ｄ・・・監視カメラ、
２ｃ11・・・ゲルマニウムフィルタ、３ａ・・・タグ検知装置、
３ｂ・・・センサ、３ｃ・・・緊急通報センサ、３ｃ・・・緊急通報センサ、
４ａ，４ｂ・・・警告手段、５・・・監視機能付き携帯電話機、
５ａ・・・ディスプレイ、５ｂ・・・リムーバブルなメモリ書込み読出し装置、
５ｃ・・・メモリ、６・・・鍵、７・・・電波発射機、７ａ・・・青色ボタン、
７ｂ・・・コーダ、７ｃ・・・送受信アンテナ、７ｄ・・・受信機、
７ｅ・・・青色ボタン、７ｆ・・・赤色ボタン、７ｇ・・・赤色ランプ、
８・・・タグ、９Ａ・・・異常通報受付電話機、
９Ａ1 ・・・ディスプレイ、９Ｂ・・・消防署のディスプレイ付き電話、
９Ｂ1 ・・・ディスプレイ、１０・・・送受信アンテナ、
１１・・・回線インターフェース、１２・・・フックスイッチ、
１３・・・通話回路、１４・・・ハンドセット、１５・・・切り替えスイッチ、
１６・・・リレー、１７・・・制御回路、１８・・・着信／終話検出回路、
１９・・・着信音発生回路、２０・・・スピーカー、
２１・・・発信者電話番号受信部、２２・・・応答メッセージ出力部、
２２ａ・・・メッセージ選択部、２２ｂ・・・メッセージ記録部、
２２ｃ・・・音声信号入出力変換部、２３・・・高周波出力部、
２４・・・メッセージ記録／再生部、２５・・・マイクロホン、
２６・・・ＰＢ信号発生回路、２７・・・ＰＢ信号検出器、２８・・・解読器、
２９・・・操作部、２９ａ・・・スイッチ、２９ｂ・・・ランプ、
２９ｃ・・・スイッチ、２９ｄ・・・ランプ、
２９ｅ・・・画面呼び出しボタン、２９ｆ・・・画面呼び出しボタン、
２９ｇ・・・マイクボタン、２９ｈ・・・録音再生ボタン、
２９ｉ・・・応答メッセージ入力ボタン、２９ｊ・・・映像送信ボタン、
２９ｋ・・・ファインダーボタン、
３０・・・表示部、３０ａ・・・電話番号／暗号の設定・変更画面、
３０ｂ・・・異常映像再生制御画面、３１・・・ＲＡＭ、３２・・・ＲＯＭ、
３３・・・タグ検出信号入力端子、３４・・・警告信号出力端子、
３５・・・送受信アンテナ、３６・・・受信機、３７・・・解読機、
３８・・・送信機、３９・・・施錠信号入力スイッチ、
４０・・・警告信号出力端子、４１・・・画像処理部、４２・・・画像圧縮部、
４３ａ，４３ｂ・・・映像メモリ、４４・・・モデム、
４５・・・暗号書込み装置、４６・・・画像送信ケーブル、
４７・・・コーダ、４８・・・選択スイッチ、４９・・・カメラ、
５０・・・画像圧縮部、５１・・・電話番号／暗号の設定・変更画面、
５２・・・映像、５３・・・短縮ボタン機能一覧表示画面、
５４・・・フラッシュメモリ、５５・・・接続モジュール、
５６・・・有線／無線選択スイッチ、５７・・・ダビング用映像入出力端子、
５８・・・デュアルポートメモリ、５９・・・モデム、
６０・・・緊急通報信号入力端子、６１・・・切り換えスイッチ、
６２・・・緊急通報信号入力端子、６３・・・信頼スイッチ、
【図１】
0004406981.tif 000004
【図２】
0004406981.tif 000005
【図３】
0004406981.tif 000006
【図４】
0004406981.tif 000007
【図５】
0004406981.tif 000008
【図６】
0004406981.tif 000009
【図７】
0004406981.tif 000010
【図８】
0004406981.tif 000011
【図９】
0004406981.tif 000012
【図１０】
0004406981.tif 000013
【図１１】
0004406981.tif 000014
【図１２】
0004406981.tif 000015
【図１３】
0004406981.tif 000016
【図１４】
0004406981.tif 000017
【図１５】
0004406981.tif 000018
【図１６】
0004406981.tif 000019
【図１７】
0004406981.tif 000020
【図１８】
0004406981.tif 000021
【図１９】
0004406981.tif 000022
【図２０】
0004406981.tif 000023
【図２１】
0004406981.tif 000024
【図２２】
0004406981.tif 000025